(57)【要約】  ＢＬＥ通信ネットワークを介して連結されるモバイル機器と通信を行うディスプレイ装置の制御方法、及びそれによるディスプレイ装置に係り、該ディスプレイ装置の制御方法、及びそれによるディスプレイ装置は、アンビエントサービスを提供するディスプレイ装置が電力消耗を低減させながら、容易に画面をオン／オフにすることができるようにすることにより、ディスプレイ装置のパネル寿命短縮を防止することができる。
2021515334.tif 000002
【特許請求の範囲】
【請求項１】
ディスプレイと、
少なくとも１つのインストラクションを保存するメモリと、
ＢＬＥ通信ネットワークを含む少なくとも１つの無線ネットワークを介してモバイル機器と通信を行う通信部と、
前記メモリに保存された前記少なくとも１つのインストラクションを遂行する少なくとも１つのプロセッサを少なくとも一つ含む制御部と、を含み、
前記少なくとも１つのプロセッサは、
アンビエントサービスが実行される正常モードの間、前記ＢＬＥ（Bluetooth Low Energy）通信ネットワークを介して連結されるモバイル機器を識別する情報であるＢＬＥ識別情報が、前記モバイル機器から受信されれば、前記ＢＬＥ識別情報を管理し、
前記通信部は、
スリープモードに入った後、前記モバイル機器から前記ＢＬＥ識別情報が受信されれば、前記受信されたＢＬＥ識別情報に対応する情報が、前記通信部内に保存されているか否かということを判断した結果に基づき、前記制御部がウェークアップされるように動作することを特徴とするディスプレイ装置。
【請求項２】
前記通信部は、
所定データを保存する内部メモリを含み、
前記受信されたＢＬＥ識別情報に対応する情報が前記内部メモリに存在すれば、前記制御部がウェークアップされるように動作することを特徴とする請求項１に記載のディスプレイ装置。
【請求項３】
前記通信部は、
前記受信されたＢＬＥ識別情報に対応する情報が内部メモリに存在しなければ、前記スリープモードが続けて維持されるように動作することを特徴とする請求項１に記載のディスプレイ装置。
【請求項４】
前記少なくとも１つのプロセッサは、
前記正常モードの間、前記通信部から前記ＢＬＥ識別情報を伝送され、前記ＢＬＥ識別情報に対応する情報が、前記メモリに保存されているか否かということを判断し、前記判断の結果に基づき、前記アンビエントサービスの実行を維持させるか否かということを決定することを特徴とする請求項１に記載のディスプレイ装置。
【請求項５】
前記メモリは、
第１メモリ及び第２メモリを含み、
前記少なくとも１つのプロセッサは、
前記正常モードの間、前記ＢＬＥ識別情報が前記モバイル機器から受信されれば、前記ＢＬＥ識別情報が、前記第１メモリ、及び前記通信部の内部メモリに保存されるように制御し、
前記正常モードに進入すれば、前記アンビエントサービスを実行するための第１アプリケーションに対応するプログラムを前記第２メモリに搭載し、前記第１アプリケーションが実行されるように制御することを特徴とする請求項１に記載のディスプレイ装置。
【請求項６】
前記モバイル機器は、前記ＢＬＥ識別情報として、前記メモリに保存される第１ ＢＬＥ識別情報を有する第１モバイル機器であり、
前記少なくとも１つのプロセッサは、
前記ディスプレイ装置とペアリングされる第２モバイル機器を登録するために、前記第２モバイル機器から第２ ＢＬＥ識別情報を受信し、前記メモリに保存させ、
前記第２ ＢＬＥ識別情報が、前記メモリ、及び前記通信部の内部メモリに同期化されて保存されるように、前記ＢＬＥ識別情報の保存及びアップデートを管理することを特徴とする請求項１に記載のディスプレイ装置。
【請求項７】
前記少なくとも１つのプロセッサは、
前記スリープモードは、前記アンビエントサービスが中断され、前記ディスプレイがターンオフされる動作モードを含むことを特徴とする請求項１に記載のディスプレイ装置。
【請求項８】
前記少なくとも１つのプロセッサは、
前記アンビエントサービスの実行のためにペアリングされる前記モバイル機器から伝送される前記ＢＬＥ識別情報が、前記メモリに保存されるように制御し、
前記ＢＬＥ識別情報を利用し、前記モバイル機器が、前記ディスプレイ装置から所定距離内に位置するか否かということを判断することを特徴とする請求項１に記載のディスプレイ装置。
【請求項９】
前記少なくとも１つのプロセッサは、
前記ディスプレイ装置に登録されたモバイル機器のオペレーションシステムが、第１オペレーションシステムであるか、あるいは第２オペレーションシステムであるかということにより、モバイル機器を識別する方式を互いに異なるように設定することを特徴とする請求項１に記載のディスプレイ装置。
【請求項１０】
第１オペレーションシステムは、アンドロイドオペレーションシステムであり、第２オペレーションシステムは、ｉＯＳオペレーションシステムであることを特徴とする請求項９に記載のディスプレイ装置。
【請求項１１】
前記少なくとも１つのプロセッサは、
モバイル機器のオペレーションシステムが第１タイプであるならば、所定時間間隔で、前記ＢＬＥ識別情報の受信いかんをチェックするように、前記通信部を制御することを特徴とする請求項９に記載のディスプレイ装置。
【請求項１２】
前記少なくとも１つのプロセッサは、
前記モバイル機器のオペレーションシステムが第２タイプであるならば、所定時間間隔で、前記ＢＬＥ識別情報の伝送を要請する第１ ｉＢｅａｃｏｎ（登録商標）信号を前記モバイル機器に伝送し、前記第１ ｉＢｅａｃｏｎ（登録商標）信号によってトリガされ、前記ＢＬＥ識別情報を含む第２ｉＢｅａｃｏｎ（登録商標）信号の受信いかんをチェックするように、前記通信部を制御することを特徴とする請求項９に記載のディスプレイ装置。
【請求項１３】
前記ＢＬＥ識別情報は、
前記モバイル機器のＢＬＥ ＭＡＣ（media access control）アドレスまたはＩＲＫ（Identity Resolving Key）を利用し、ＢＬＥ ＭＡＣアドレスにも変換されるrandom addressを含むことを特徴とする請求項１に記載のディスプレイ装置。
【請求項１４】
少なくとも１つのインストラクションを保存するメモリ、ＢＬＥ通信ネットワークを含む少なくとも１つの無線ネットワークを介してモバイル機器と通信を行う通信部、及び前記メモリに保存された前記少なくとも１つのインストラクションを遂行するプロセッサを少なくとも一つ含む制御部を含むディスプレイ装置の制御方法において、
アンビエントサービスが実行される正常モードの間、前記ＢＬＥ通信ネットワークを介して連結されるモバイル機器を識別する情報であるＢＬＥ識別情報が前記モバイル機器から受信されれば、前記制御部で、前記ＢＬＥ識別情報を管理する段階と、
スリープモードに入った後、前記モバイル機器から前記ＢＬＥ識別情報が受信されれば、前記受信されたＢＬＥ識別情報に対応する情報が、前記通信部内に保存されているか否かということを判断した結果に基づき、前記制御部をウェークアップさせる段階と、を含むことを特徴とするディスプレイ装置の制御方法。
【請求項１５】
前記ＢＬＥ識別情報は、
ＢＬＥ ＭＡＣアドレス、及び第１モバイル機器の任意アドレスのうち少なくとも一つを含み、
前記任意アドレスは、
ＩＲＫを利用し、ＢＬＥ ＭＡＣアドレスに変換されられる、請求項１に記載のディスプレイ装置。
【発明の詳細な説明】
【技術分野】
【０００１】
本発明は、無線通信ネットワークを介してモバイル機器と通信を行うディスプレイ装置の制御方法、及びそれによるディスプレイ装置に係り、さらに具体的には、本発明は、ＢＬＥ（Bluetooth Low Energy）通信ネットワークを介して連結されるモバイル機器と通信を行うディスプレイ装置の制御方法、及びそれによるディスプレイ装置に関する。
【背景技術】
【０００２】
モバイル機器が広く利用されながら、モバイル機器と異なる電子装置が無線通信ネットワークを介して互いに連結され、連結された複数個の電子装置が互いに連動されて利用される技術が開発されている。ここで、モバイル機器は、ユーザが携帯可能な全ての電子機器が含まれる。
【０００３】
また、携帯可能ではない複数個の電子装置も、家庭事物インターネット（Home IoT）プラットホームのような技術によって制御可能になり、モバイル機器と互いに連結て利用及び／または制御するための技術が開発されている。
【０００４】
ここで、無線通信ネットワークは、低電力で無線通信を行うことができるブルートゥース（登録商標）（Bluetooth）通信規格による通信ネットワークにもなる。さらに詳細には、該ブルートゥース（登録商標）通信規格は、ＢＬＥ（Bluetooth Low Energy）通信ネットワークにもなる。
【発明の概要】
【発明が解決しようとする課題】
【０００５】
開示された実施形態は、アンビエント（ambient）サービスを提供することができるディスプレイ装置の制御方法、及びそれによるディスプレイ装置の提供を目的とする。
【課題を解決するための手段】
【０００６】
開示された実施形態は、ディスプレイ装置の電力消耗を低減させることができるディスプレイ装置の制御方法、及びそれによるディスプレイ装置が提供される。
【発明の効果】
【０００７】
開示された実施形態により、電力消耗を低減させるディスプレイ装置の制御方法、及びそれによるディスプレイ装置が提供される。
【図面の簡単な説明】
【０００８】
【図１】家庭内において、ＢＬＥ通信ネットワークを介して連結可能な複数個の電子装置を示す図面である。
【図２Ａ】画面イメージを表示する、アンビエントサービスを提供するディスプレイ装置を示す図面である。
【図２Ｂ】画面イメージを表示する、アンビエントサービスを提供するディスプレイ装置を示す図面である。
【図３】ＢＬＥ無線ネットワークを介して連結されるディスプレイ装置を示す図面である。
【図４】ＢＬＥ無線ネットワークを介して連結される開示された実施形態によるディスプレイ装置と携帯用機器とを示す図面である。
【図５】開示された実施形態によるディスプレイ装置を示すブロック図である。
【図６】開示された実施形態によるディスプレイ装置を示す他のブロック図である。
【図７Ａ】開示された実施形態によるディスプレイ装置と、ＢＬＥネットワークを介して連結される携帯用機器から出力されるユーザインターフェース画面を示す図面である。
【図７Ｂ】開示された実施形態によるディスプレイ装置で遂行される動作について説明するための図面である。
【図８】開示された実施形態によるディスプレイ装置で遂行されるペアリング動作について説明するための図面である。
【図９】開示された実施形態によるディスプレイ装置で遂行される動作について説明するための他の図面である。
【図１０】開示された実施形態によるディスプレイ装置で遂行される動作について説明するための他の図面である。
【図１１Ａ】開示された実施形態による、携帯用機器とペアリングされるディスプレイ装置で実行されるアンビエントサービスの動作について説明するための図面である。
【図１１Ｂ】開示された実施形態による、携帯用機器とペアリングされるディスプレイ装置で実行されるアンビエントサービスの動作について説明するための図面である。
【図１１Ｃ】開示された実施形態による、携帯用機器とペアリングされるディスプレイ装置で実行されるアンビエントサービスの動作について説明するための図面である。
【図１１Ｄ】開示された実施形態による、携帯用機器とペアリングされるディスプレイ装置で実行されるアンビエントサービスの動作について説明するための図面である。
【図１２Ａ】開示された実施形態による、携帯用機器で送受信されるＢＬＥ信号を示す図面である。
【図１２Ｂ】開示された実施形態による、携帯用機器とペアリングされるディスプレイ装置で実行されるアンビエントサービスの動作について説明するための図面である。
【図１２Ｃ】開示された実施形態による、携帯用機器とペアリングされるディスプレイ装置で実行されるアンビエントサービスの動作について説明するための図面である。
【図１３】開示された実施形態によるディスプレイ装置の制御方法を示すフローチャートである。
【図１４】開示された実施形態によるディスプレイ装置の制御方法をさらに詳細に示すフローチャートである。
【発明を実施するための形態】
【０００９】
本出願は、韓国特許庁に２０１８年３月９日に提出された韓国特許出願番号１０−２０１８−００２８３０９、及び韓国特許庁に２０１８年５月２３日に提出された１０−２０１８−００５８６４３に基づいて優先権を主張しており、それらは、その全体が参照により本明細書に組み込まれる。
【００１０】
開示された実施形態によるディスプレイ装置は、ディスプレイと、少なくとも１つのインストラクションを保存するメモリと、ＢＬＥ（Bluetooth Low Energy）通信ネットワークを含む少なくとも１つの無線ネットワークを介してモバイル機器と通信を行う通信部と、前記メモリに保存された前記少なくとも１つのインストラクションを遂行するプロセッサを少なくとも一つ含む制御部と、を含む。ここで、前記少なくとも１つのプロセッサは、アンビエント（ambient）サービスが実行される正常モード（normal mode）の間、前記ＢＬＥ通信ネットワークを介して連結されるモバイル機器を識別する情報であるＢＬＥ識別情報が前記モバイル機器から受信されれば、前記ＢＬＥ識別情報を管理する。そして、前記通信部は、スリープモード（sleep mode）に入った後、前記ＢＬＥ識別情報が前記モバイル機器から受信されれば、前記受信されたＢＬＥ識別情報に対応する情報が存在するか否かということを判断した結果に基づき、前記制御部がウェークアップされるように動作する。
【００１１】
また、前記通信部は、所定データを保存する内部メモリを含み、前記受信されたＢＬＥ識別情報に対応する情報が前記内部メモリに存在すれば、前記制御部がウェークアップされるように動作することができる。
【００１２】
また、前記通信部は、前記受信されたＢＬＥ識別情報に対応する情報が前記内部メモリに存在しなければ、前記スリープモードが続けて維持されるように動作することができる。
【００１３】
また、前記少なくとも１つのプロセッサは、前記正常モードの間、前記通信部から前記ＢＬＥ識別情報を伝送され、前記ＢＬＥ識別情報に対応する情報が、前記メモリに保存されているか否かということを判断し、前記判断結果に基づき、前記アンビエントサービスの実行を維持させるか否かということを決定することができる。
【００１４】
また、前記メモリは、第１メモリ及び第２メモリを含んでもよい。そして、前記少なくとも１つのプロセッサは、前記正常モードの間、前記ＢＬＥ識別情報が前記モバイル機器から受信されれば、前記ＢＬＥ識別情報が、前記第１メモリ、及び前記通信部の内部メモリに保存されるように制御し、前記正常モードに進入すれば、前記アンビエントサービスを実行するための第１アプリケーションに対応するプログラムを前記第２メモリに搭載し、前記第１アプリケーションが実行されるように制御することができる。
【００１５】
また、前記少なくとも１つのプロセッサは、前記ディスプレイ装置とペアリングされる第１モバイル機器を登録するために、前記第１モバイル機器から第１ ＢＬＥ識別情報を受信して前記メモリに保存させ、前記第１ ＢＬＥ識別情報が、前記メモリ、及び前記通信部の内部メモリに同期化されて保存されるように、前記ＢＬＥ識別情報の保存及びアップデートを管理することができる。
【００１６】
また、前記少なくとも１つのプロセッサは、前記正常モードは、前記アンビエントサービスが実行される動作モードを含み、前記スリープモードは、前記アンビエントサービスが中断され、前記ディスプレイがターンオフされる動作モードを含んでもよい。
【００１７】
また、前記少なくとも１つのプロセッサは、前記アンビエントサービス実行のためにペアリングされる第１モバイル機器から伝送される第１ ＢＬＥ識別情報が、前記メモリに保存されるように制御し、前記第１ ＢＬＥ識別情報を利用し、前記第１モバイル機器が、前記ディスプレイ装置から所定距離内に位置するか否かということを判断することができる。
【００１８】
また、前記少なくとも１つのプロセッサは、前記ディスプレイ装置に登録されたモバイル機器のオペレーションシステム（ＯＳ）が第１オペレーションシステムであるか、あるいは第２オペレーションシステムであるかということにより、モバイル機器を認識する方式を互いに異なるように設定することができる。
【００１９】
また、第１オペレーションシステムは、アンドロイド（登録商標）（Android）オペレーションシステムであり、第２オペレーションシステムは、ｉＯＳオペレーションシステムにもなる。
【００２０】
また、前記少なくとも１つのプロセッサは、モバイル機器のオペレーションシステムが第１タイプであるならば、所定時間間隔で、前記ＢＬＥ識別情報の受信いかんをチェックするように、前記通信部を制御することができる。
【００２１】
また、前記少なくとも１つのプロセッサは、前記モバイル機器のオペレーションシステムが第２タイプであるならば、所定時間間隔で、前記ＢＬＥ識別情報の伝送を要請する第１ ｉＢｅａｃｏｎ（登録商標）信号を前記モバイル機器に伝送し、前記第１ ｉＢｅａｃｏｎ（登録商標）信号によってトリガされ、前記ＢＬＥ識別情報を含む第２ｉＢｅａｃｏｎ（登録商標）信号の受信いかんをチェックするように、前記通信部を制御することができる。
【００２２】
また、前記ＢＬＥ識別情報は、前記モバイル機器のＢＬＥ ＭＡＣ（media access control）アドレス（ＢＬＥ ＭＡＣ address）またはＩＲＫ（Identity Resolving Key）を利用してＢＬＥ ＭＡＣアドレスにも変換されるrandom addressを含んでもよい。
【００２３】
開示された実施形態によるディスプレイ装置の制御方法は、少なくとも１つのインストラクションを保存するメモリ、ＢＬＥ（Bluetooth Low Energy）通信ネットワークを含む少なくとも１つの無線ネットワークを介してモバイル機器と通信を行う通信部、及び前記メモリに保存された前記少なくとも１つのインストラクションを遂行するプロセッサを少なくとも一つ含む制御部を含むディスプレイ装置の制御方法である。該ディスプレイ装置の制御方法は、アンビエントサービスが実行される正常モード（normal mode）の間、前記ＢＬＥ通信ネットワークを介して連結されるモバイル機器を識別する情報であるＢＬＥ識別情報が前記モバイル機器から受信されれば、前記制御部で、前記ＢＬＥ識別情報を管理する段階と、及びスリープモードに入った後、前記ＢＬＥ識別情報が前記モバイル機器から受信されれば、前記通信部で、前記受信されたＢＬＥ識別情報に対応する情報が存在するか否かということを判断した結果に基づき、前記制御部をウェークアップさせる段階を含む。
【００２４】
以下では、添付図面を参照し、本発明が属する技術分野において当業者が容易に実施することができるように、本発明の実施形態について詳細に説明する。しかし、本発明は、さまざまに異なる形態にも具現され、ここで説明する実施形態に限定されるものではない。そして、図面において、本発明について明確に説明するために、説明と係わりのない部分は、省略し、明細書全体にわたり、類似した部分については、類似した図面符号を付した。
【００２５】
明細書全体において、ある部分が他の部分と「連結」されているとするとき、それは、「直接連結」されている場合だけではなく、その中間に他の素子を挟み、「電気的に連結」されている場合も含む。また、ある部分がある構成要素を「含む」とするとき、それは、特別に反対になる記載がない限り、他の構成要素を除くものではなく、他の構成要素をさらに含んでもよいということを意味する。
【００２６】
本明細書において多様なところに登場する「一部実施形態において」または「一実施形態において」というような語句は、必ずしもどちらも同一実施形態を示すものではない。
【００２７】
一部実施形態は、機能的なブロック構成、及び多様な処理段階において示される。そのような機能ブロックの一部または全部は、特定機能を遂行する多様な個数のハードウェア構成及び／またはソフトウェア構成によっても具現される。例えば、本開示の機能ブロックは、１以上のプロセッサまたはマイクロプロセッサによって具現されるか、あるいは所定機能のための回路構成によっても具現される。また、例えば、本開示の機能ブロックは、あるプログラミング言語、またはさまざまなスクリプティング言語によっても具現される。該機能ブロックは、１以上のプロセッサで実行されるアルゴリズムによっても具現される。また、本開示は、電子的な環境設定、信号処理及び／またはデータ処理などのために、従来技術を採用することができる。「モジュール」及び「構成」のような用語は、汎用され、機械的であって物理的な構成として限定されるものではない。
【００２８】
また、図面に図示された構成要素間の連結線または連結部材は、機能的な連結、及び／または物理的または回路的な連結を例示的に示したものにしか過ぎない。実際の装置においては、代替可能であったり、追加されたりする多様な機能的な連結、物理的な連結、または回路連結により、構成要素間の連結が示されうる。
【００２９】
また、「ａ、ｂ、及びｃのうち少なくとも一つ」の表現は、「ａ」、「ｂ」、「ｃ」、「ａ及びｂ」、「ｂ及びｃ」、「ａ及びｃ」及び「ａ、ｂ、及びｃ」を示すことができる。
【００３０】
ＢＬＥを介してモバイル機器と連結される電子機器は、モバイル機器から伝送されるＢＬＥ信号に基づいても制御される。ここで、該電子機器は、ディスプレイ装置のような、家庭内の固定された位置に配置される固定機器にもなる。
【００３１】
従来、ＢＬＥ応用は、固定機器からＢＬＥ信号が送出され、モバイル機器で周期的にＢＬＥ信号を検索し、位置を判断する技術として考案された。固定機器から送出されるＢＬＥ信号に基づき、モバイル機器は、固定機器が特定距離内に存在するか否かということを判断することができる。そして、前記判断の結果により、固定機器の画面がオンまたはオフになるように制御することができる。
【００３２】
また、モバイル機器からＢＬＥ信号を送出し、固定装置においてＢＬＥ信号を感知する方式も提案された。
【００３３】
前述のように、ＢＬＥを利用した、固定機器とモバイル機器との通信を介して、固定機器の動作を制御する方法及び装置が開発されている。また、該固定機器または該モバイル機器を利用するユーザの多様な欲求（例えば、特定サービスを提供されたいとする欲求など）を反映させるように、固定機器の動作を制御する方法及び装置が開発されている。
【００３４】
従って、最小限の電力消耗を介し、便利に固定機器の動作を制御させる方法及び装置を提供する必要がある。また、ユーザが所望するサービスの提供方向に合わせ、弾力的に制御動作を遂行することができる方法及び装置を提供する必要がある。
【００３５】
以下、添付図面を参照し、本開示について詳細に説明する。
【００３６】
図１は、家庭内において、ＢＬＥ通信ネットワークを介して連結可能な複数個の電子装置を示す図面である。
【００３７】
開示された実施形態による電子装置は、無線通信ネットワークを介し、他の電子装置と連結可能な全ての電子装置にもなる。具体的には、開示された実施形態による電子装置は、ＢＬＥ通信ネットワークを介し、モバイル機器と連結可能なディスプレイ装置にもなる。
【００３８】
具体的には、開示された実施形態による電子装置は、無線通信ネットワークを介し、隣接して位置する少なくとも１つの電子装置と所定データを送受信したり、隣接して位置する少なくとも１つの電子装置とペアリング（pairing）されたり、隣接して位置する少なくとも１つの電子装置を遠隔制御したり、あるいは隣接して位置する少なくとも１つの電子装置から遠隔制御されたりする全ての電子装置にもなる。ここで、該無線通信ネットワークは、ＢＬＥ通信ネットワークにもなる。
【００３９】
具体的には、開示された実施形態による電子装置は、モバイル機器のような移動可能な電子装置と、ＢＬＥ通信ネットワークを介して連結可能な、全ての電子装置にもなる。具体的には、モバイル機器から送出するＢＬＥ信号を受信またはスキャン（scan）することができる電子装置にもなる。具体的には、ＢＬＥ信号を送信する電子装置は、常時、または周期的な時間間隔、または設定された時間において、ＢＬＥ信号をスキャンすることができる電子装置にもなる。
【００４０】
以下においては、開示された実施形態による電子装置が、家庭１００内の壁掛型ディスプレイ装置１６０である場合を例として挙げて説明する。
【００４１】
ここで、該ディスプレイ装置は、コンテンツ、広告及び案内情報、またはユーザインターフェース画面などを、ユーザに視覚的に出力するための装置であり、ＴＶ（television）、デジタル放送用端末機のように、多様な形態で存在することができる。また、該ディスプレイ装置は、冷蔵庫のような電子装置に含まれる形態（例えば、冷蔵庫の前面に挿入されるディスプレイなど）で存在することもできるであろう。また、該ディスプレイ装置は、固定型として、所定空間にも配置される。
【００４２】
図１を参照すれば、家庭１００の空間配置図を示す。具体的には、家庭１００内の空間は、寝室１２０，１３０、キッチン１４０及び居間１１０にも分離される。居間１１０内には、ディスプレイ装置１６０が配置されうる。具体的には、ディスプレイ装置１６０は、壁掛型カーブドディスプレイにもなる。
【００４３】
また、家庭内の構成員は、ディスプレイ装置１６０のユーザにもなる。そして、ユーザは、第１携帯用機器１５２を所有することができる。第１携帯用機器１５２とディスプレイ装置１６０は、無線通信ネットワークを介しても連結される。ここで、第１携帯用機器１５２は、ウェアラブルデバイス、スマートフォン、タブレットＰＣ（personal computer）、ＰＤＡ（personal digital assistant）、ラップトップコンピュータ、メディアプレイヤ、マイクロサーバ、ＧＰＳ（global positioning system）装置のようなモバイルコンピュータ装置にもなる。
【００４４】
ここで、第１携帯用機器１５２とディスプレイ装置１６０は、家庭事物インターネット（Home IoT：home internet of things）プラットホームによっても連結される。具体的には、ディスプレイ装置１６０は、第１携帯用機器１５２と無線通信ネットワークを介しても相互連結される。
【００４５】
開示された実施形態において、ディスプレイ装置１６０は、第１携帯用機器１５２の制御によっても動作され、第１携帯用機器１５２の位置を認識し、所定サービス、例えば、アンビエントサービスまたは所定動作を自動的に遂行することができる。
【００４６】
第１携帯用機器１５２がＢＬＥ信号を送出する場合、ディスプレイ装置１６０が、第１携帯用機器１５２から一定距離内に位置する場合、ディスプレイ装置１６０は、ＢＬＥ信号を認識することができる。すなわち、ディスプレイ装置１６０は、一定距離内においてＢＬＥ信号が送出された場合にのみ認識が可能である。例えば、ＢＬＥ信号の認識範囲は、１０メートル前後にもなる。従って、家庭１００内を外れる位置において、携帯用機器１５１がＢＬＥ信号を送出する場合、ディスプレイ装置１６０は、ＢＬＥ信号を認識することができない。
【００４７】
ＢＬＥ信号の認識範囲を利用し、ディスプレイ装置１６０は、第１携帯用機器１５２から送出されるＢＬＥ信号に基づき、オンまたはオフにもなる。すなわち、ユーザが携帯して持ち歩く携帯用機器を利用し、ユーザがディスプレイ装置１６０に隣接することを感知し、それにより、ディスプレイ装置１６０がオンになったりオフになったりする。
【００４８】
アンビエントサービスは、ＴＶのようなディスプレイ装置の新たなアプリケーションまたはサービスであり、ＴＶがオフになった場合、ブラック画面の代わりに、意味ある画面イメージを示すサービスである。アンビエントサービスが実行されるＴＶの画面の例示は、以下、図２Ａ及び図２Ｂを参照して説明する。
【００４９】
図２Ａ及び図２Ｂは、それぞれ画面イメージを表示する、アンビエントサービスを提供するディスプレイ装置を示す図面である。
【００５０】
一般的に、ＴＶがオフになっている場合（ターンオフされた場合）、ＴＶは、ブラック画面として示され、いかなる映像もディスプレイされない状態になる。アンビエントサービスは、ＴＶがターンオフされた場合、ディスプレイ上に、ブラック映像の代わりに、名画、写真または時計のように、意味ある画面イメージがディスプレイされるようにするためのサービスである。また、ユーザが、放送局などから送出される特定コンテンツを視聴しない場合、アンビエントサービスは、ディスプレイ上に、名画、写真または時計のように、意味ある画面イメージをディスプレイさせる。
【００５１】
図２Ａを参照すれば、ディスプレイ装置２１０は、ディスプレイ上に、少なくとも１枚の写真を含む画面イメージ２２０をディスプレイすることができる。ディスプレイ装置２１０が少なくとも１つの写真をディスプレイし、ユーザをして、ディスプレイ装置２１０を額縁として認識させるものでもある。図２Ａに図示された実施形態において、ディスプレイ装置２１０は、電子額縁として動作することができることにもなる。
【００５２】
図２Ｂを参照すれば、ディスプレイ装置２５０は、ディスプレイ上に時計を含む画面イメージ２６０をディスプレイすることができる。
【００５３】
ディスプレイ装置２１０がアンビエントサービスを実行する間、ユーザは、ディスプレイ装置２１０を介し、写真または名画などを鑑賞することができる。または、ディスプレイ装置２５０がディスプレイする時計画面イメージ２６０を介し、時間を認識することができる。
【００５４】
アンビエントサービスは、ユーザが所定コンテンツを視聴しない間、ユーザの意図に合う画面イメージがディスプレイされるようにし、ユーザの便利性を高めるようにする。しかし、アンビエントサービスが実行される間、ディスプレイ装置２１０，２５０のディスプレイは、続けてターンオンされた状態が維持するので、パネル寿命が短縮されることにもなり、続けて電力消耗が発生することになる。
【００５５】
従って、ユーザ欲求に符合するアンビエントサービスを提供しながらも、電力消耗が低減されるようにする必要がある。
【００５６】
従って、電力消耗を防止し、またパネル寿命の短縮を防止するために、ユーザが、家庭１００内、またはＴＶの前に位置していなければ、ディスプレイをオフにすることが望ましい。開示された実施形態においては、アンビエントサービスを実行する画面またはディスプレイのオンまたはオフの制御のために、モバイル機器から送出されるＢＬＥ信号を活用することができる。
【００５７】
以下では、図３及び図４を参照し、ＢＬＥ信号を利用して遂行されるディスプレイ装置の動作について説明する。
【００５８】
図３は、ＢＬＥ無線ネットワークを介して連結されるディスプレイ装置を示す図面である。ディスプレイ装置３１０は、ディスプレイ装置１６０及び２１０のうち少なくとも一つにも対応する。
【００５９】
図３を参照すれば、開示された実施形態によるディスプレイ装置３１０は、モバイル機器３６０から送出されるＢＬＥ信号を認識することができる。ディスプレイ装置３１０は、常時、または一定時間ごとに、ＢＬＥ信号をスキャンすることができる。または、ディスプレイ装置３１０は、ＢＬＥ信号をモバイル機器３６０に送出し、モバイル機器３６０がそれに応答し、ＢＬＥ信号をディスプレイ装置３１０に送出すれば、モバイル機器３６０から送出されるＢＬＥ信号をスキャンすることができる。ここで、該ＢＬＥ信号は、ＢＬＥパケット、ｉＢｅａｃｏｎ（登録商標）のように、多様な形態によっても形成される。従って、ディスプレイ装置３１０がＢＬＥ信号を受信する場合、ＢＬＥパケット、ｉＢｅａｃｏｎ（登録商標）のような多様な形態のうちいずれか１つの形態を有するＢＬＥ信号を受信する場合をいずれも含んでもよい。
【００６０】
すなわち、モバイル機器３６０は、ＢＬＥ信号を送信する送信端として動作することができ、ディスプレイ装置３１０は、ＢＬＥ信号を受信する受信端として動作することができる。すなわち、ディスプレイ装置３１０は、ＢＬＥ信号を受信し、受信されたＢＬＥ信号によって制御（例えば、ディスプレイ画面がオンまたはオフになるように制御）される装置にもなる。
【００６１】
また、以下においては、ＢＬＥ信号を受信する動作が、ＢＬＥ信号を、所定時間間隔または恒時的にスキャンすることにより、ＢＬＥ信号を認識する場合を含んでもよい。また、ＢＬＥ信号を受信する動作が、ＢＬＥ信号の受信を要請し、それに対応し、ＢＬＥ信号を伝送される場合を含んでもよい。
【００６２】
ここで、該ＢＬＥ信号は、ＢＬＥ通信規格によって形成される信号であり、ＢＬＥパケットを含む。
【００６３】
具体的には、送信端は、モバイル機器３６０以外にも、移動が可能な電子製品（例：スマートウォッチ、タブレットなど）であるならば、いずれでも適用可能である。また、受信端は、ディスプレイ装置３１０以外にも、ＢＬＥスキャンが可能な電子製品（例：スピーカ、冷蔵庫）に拡大適用が可能である。送信端としては、常時または周期的な要請により、ＢＬＥ信号（例えば、ＢＬＥパケット）が送出され、受信端においては、設定された時間、または周期的な時間間隔で、ＢＬＥスキャンが行われたり、送信端であるモバイル機器３６０に、ＢＬＥ信号（例えば、ＢＬＥパケット）を要請したりすることになる。
【００６４】
また、送信端であるモバイル機器３６０は、ＢＬＥ信号送出が可能なブルートゥース（登録商標）通信モジュール（図示せず）を搭載し、ＢＬＥアドバタイズメント設定が可能なアプリケーションによっても構成される。ここで、該ＢＬＥアドバタイズメントは、ＢＬＥ通信規格により、ＢＬＥ信号を送出すること、または送出されたＢＬＥ信号自体を意味する。ＢＬＥアドバタイズメント設定により、ＢＬＥ信号がパケット形態（例えば、「ＢＬＥアドバタイズパケット」または「ＢＬＥアドバタイジングパケット」など）によっても送出される。
【００６５】
また、受信端であるディスプレイ装置３１０は、ＢＬＥ信号受信のためのブルートゥース（登録商標）通信モジュール（図示せず）を搭載しており、受信されたＢＬＥ信号に基づき、スクリーンのオン／オフ制御が可能なアプリケーションによっても構成される。
【００６６】
図３に図示された例においては、ＢＬＥ信号の受信可能範囲をｄ１とし、ｄ２は、ｄ１より大きい値であり、ＢＬＥ信号の受信可能範囲を超える場合を例として挙げて図示した。
【００６７】
図３を参照すれば、モバイル機器３６０がＰ１位置にある場合、モバイル機器３６０とディスプレイ装置３１０との距離は、ｄ１であり、ＢＬＥ信号の受信可能範囲になる。従って、モバイル機器３６０からＢＬＥ信号を送出した場合、ディスプレイ装置３１０は、スキャンを介し、モバイル機器３６０から送出されたＢＬＥ信号を受信することができる。それにより、ディスプレイ装置３１０は、アンビエントサービスを続けて実行するか、あるいはアンビエントサービスの実行を開始し、ディスプレイ上にアンビエントサービスに対応する画面イメージ（例えば、時計画面イメージなど）をディスプレイすることができる。
【００６８】
図３を参照すれば、モバイル機器３６０がＰ２の位置にある場合、モバイル機器３６０とディスプレイ装置３１０との距離は、ｄ２であり、ＢＬＥ信号の受信可能範囲を外れることになる。従って、モバイル機器３６０からＢＬＥ信号を送出した場合、ディスプレイ装置３１０は、スキャンを介してモバイル機器３６０から送出されたＢＬＥ信号を受信することができない。それにより、ディスプレイ装置３１０は、アンビエントサービスの実行を終了したり、アンビエントサービスの実行を開始したりしない。
【００６９】
図４は、ＢＬＥ無線ネットワークを介して連結される、開示された実施形態による、ディスプレイ装置と携帯用機器とを示す図面である。図４において、図３と同一構成は、同一図面記号（例えば、ディスプレイ装置３１０など）を利用して図示した。
【００７０】
図４を参照すれば、開示された実施形態によるディスプレイ装置３１０は、制御部３１１、通信部３１３、メモリ３１５及びディスプレイ３１７を含む。
【００７１】
また、ディスプレイ装置３１０と、ＢＬＥ通信ネットワーク４０５を介して連結可能なモバイル機器３６０は、制御部３６１、通信部３６３及びメモリ３６５を含む。
【００７２】
まず、モバイル機器３６０の構成及び動作について説明する。
【００７３】
制御部３６１は、少なくとも１つのプロセッサ（図示せず）を含んでもよい。そして、少なくとも１つのプロセッサそれぞれは、メモリ３６５に保存された少なくとも１つの命令語を実行させることにより、所定動作を遂行することができる。
【００７４】
開示された実施形態において、制御部３６１は、ＢＬＥ信号が送出されるように制御することができる。具体的には、制御部３６１は、モバイル機器３６０のオペレーションシステムにより、互いに異なる方式により、ＢＬＥ信号の送出を制御することができる。ＢＬＥ信号の送出方式は、以下、図１１Ａないし図１２Ｃを参照し、詳細に説明する。
【００７５】
通信部３６３は、所定無線通信規格により、外部の電子装置（例えば、ディスプレイ装置３１０など）と無線通信を行う少なくとも１つの通信モジュール（図示せず）を含んでもよい。具体的には、通信部３６３は、ＢＬＥ通信規格によって無線通信を行うブルートゥース（登録商標）通信モジュール（図示せず）を含んでもよい。ここで、該ブルートゥース（登録商標）通信モジュール（図示せず）は、ＢＬＥモジュールにもなり、ＢＬＥ信号を送信または受信することができる。
【００７６】
また、通信部３６３は、ブルートゥース（登録商標）通信モジュール（図示せず）以外にも、無線ＬＡＮ（Local Area Network）及び有線イーサネットのような通信規格によって無線通信を行う通信モジュールを含んでもよい。ここで、該無線ＬＡＮ通信モジュール（図示せず）は、Ｗｉ−Ｆｉ通信規格によって無線通信を行うＷｉ−Ｆｉ通信モジュール（図示せず）などを含んでもよい。
【００７７】
通信部３６３は、制御部３６１の制御によってＢＬＥ信号を送出することができる。
【００７８】
メモリ３６５は、制御部３６１によって実行される少なくとも１つの命令語を保存することができる。また、所定データを保存することができる。
【００７９】
開示された実施形態において、モバイル機器３６０は、ディスプレイ装置３１０の要請により、ＢＬＥ信号を送出することができる。または、モバイル機器３６０は、一定時間間隔ごとに、ＢＬＥ信号を送出することができる。
【００８０】
続けて、開示された実施形態によるディスプレイ装置３１０の構成及び動作について説明する。
【００８１】
ディスプレイ３１７は、制御部３１１の制御によって映像をディスプレイする。ここで、該映像は、ユーザが視覚的に認識することができる全てのデータにもなる。具体的には、該映像は、放送コンテンツのような動画、ゲーム、写真、時計などを示す画面イメージなどにもなる。アンビエントサービスに対応する画面イメージとしては、名画、写真、時計、風景などの画面イメージにもなる。
【００８２】
メモリ３１５は、少なくとも１つのインストラクションを保存する。
【００８３】
制御部３１１は、メモリ３１５に保存された少なくとも１つのインストラクションを遂行するプロセッサ（図示せず）を少なくとも一つ含む。具体的には、制御部３１１に含まれるプロセッサは、メモリ３１５に保存されている少なくとも１つのインストラクションを実行させ、所定動作が遂行されるように制御することができる。
【００８４】
通信部３１３は、ＢＬＥ通信ネットワーク４０５を含む少なくとも１つの無線ネットワークを介し、モバイル機器３６０と通信を行うことができる。具体的には、通信部３１３は、ＢＬＥ通信ネットワーク４０５を介してＢＬＥ信号を受信することができる。モバイル機器３６０から送出されるＢＬＥ信号を受信またはスキャンする動作は、以下において、図１１Ａ及び図１２Ｂを参照して詳細に説明する。
【００８５】
開示された実施形態において、ＢＬＥ信号は、モバイル機器３６０を識別する情報であるＢＬＥ識別情報を含んでもよい。以下においては、モバイル機器３６０から送出されるＢＬＥ信号に、ＢＬＥ識別情報が含まれる場合を例として挙げて説明する。
【００８６】
また、開示された実施形態において、ディスプレイ装置３１０の動作モードは、正常モード及びスリープモードを含んでもよい。
【００８７】
該正常モードは、ディスプレイ装置３１０の全ての構成に電源が供給される動作状態を意味する。従って、該正常モードにおいては、ディスプレイ装置３１０が所定映像をディスプレイしていることになる。具体的には、アンビエントサービスは、正常モードの間に実行され、正常モードではない場合、アンビエントサービスの実行は、中断される。
【００８８】
該スリープモードは、ディスプレイ装置３１０の電源が節約されるモードであり、通信部３１３には、電源が供給され、外部の電子装置（例えば、モバイル機器３６０または遠隔制御装置（remote controller）（図示せず）など）から、制御信号または所定データを送受信することができる動作状態を意味する。該スリープモードにおいては、通信部３１３以外の構成には、電源供給が遮断されうる。該スリープモードは、待機モード（standby mode）または節電モードとも称される。
【００８９】
また、「ウェークアップ」は、スリープモードにあるディスプレイ装置３１０が正常モードに入るために活性化される動作を意味する。ディスプレイ装置３１０がスリープモードにある場合、制御部３１１で電源供給が遮断され、制御部３１１は、動作しておらず、通信部３１３だけに電源が供給され、通信部３１３だけ動作可能な状態にある。その場合、通信部３１３は、スキャンまたは受信されるＢＬＥ信号により、制御部３１１をウェークアップさせるための信号を制御部３１１に伝達することができる。
【００９０】
具体的には、制御部３１１に含まれるプロセッサ（図示せず）は、アンビエントサービスが実行される正常モードの間、ＢＬＥ通信ネットワーク４０５を介して連結されるモバイル機器３６０を識別する情報であるＢＬＥ識別情報が、モバイル機器３６０から受信されれば、ＢＬＥ識別情報を管理する。ここで、該「管理」は、ＢＬＥ識別情報を伝送されて利用する全ての動作を意味する。具体的には、該「管理」は、ＢＬＥ識別情報を制御部３１１が伝達され、伝達されたＢＬＥ識別情報に対応する情報が、メモリ３６５に存在するか否かということにより、制御部３１１が遂行する全ての動作を含んでもよい。
【００９１】
そして、通信部３１３は、スリープモードに入った後、ＢＬＥ識別情報がモバイル機器３６０から受信されれば、受信されたＢＬＥ識別情報に対応する情報が存在するか否かということを判断した結果に基づき、制御部３６１に含まれるプロセッサ（図示せず）がウェークアップされるように動作することができる。
【００９２】
ここで、該ＢＬＥ識別情報は、ＢＬＥ通信ネットワーク４０５を介して連結されるモバイル機器３６０を識別する情報にもなる。すなわち、該ＢＬＥ識別情報は、ＢＬＥ信号を送出したモバイル機器３６０を識別するための情報にもなる。具体的には、該ＢＬＥ識別情報は、ＢＬＥアドレス（例えば、ＢＬＥ ＭＡＣアドレス）を含んでもよい。
【００９３】
また、該ＢＬＥ識別情報は、所定暗号キーを利用してＢＬＥアドレスを復元させる任意アドレス（random address）を含んでもよい。例えば、該ＢＬＥ識別情報がモバイル機器３６０の任意アドレスを含む場合、ディスプレイ装置３１０は、ＢＬＥペアリング段階で獲得されたＩＲＫを利用して受信された任意アドレス値を、本来のアドレスである、ＢＬＥペアリング時に伝送されていたアドレスである「ＢＬＥアドレス」に変換することができる。
【００９４】
ＢＬＥ ＭＡＣアドレス以外にも、該ＢＬＥ識別情報は、ＢＬＥ通信ネットワーク４０５に連結される外部電子装置を識別することができる情報を含んでもよい。
【００９５】
図７Ｂを参照すれば、開示された実施形態によるディスプレイ装置３１０は、正常モードであるか、またはスリープモードであるかということにより（Ｓ７０２）、制御部３１１または通信部３１３のうちいずれか一つが、ＢＬＥ識別情報を管理する動作主体になる（Ｓ７３０、Ｓ７４０）。
【００９６】
ディスプレイ装置３１０の動作モードが、正常モードであるか否かということにより、ディスプレイ装置３１０が、アンビエントサービスが実行される正常モードにあれば、制御部３１１がＢＬＥ識別情報を管理する動作主体にもなる（Ｓ７３０）。具体的には、制御部３１１に含まれるプロセッサ（図示せず）は、アンビエントサービスが実行される正常モードの間、ＢＬＥ通信ネットワーク４０５を介して連結されるモバイル機器３６０を識別する情報であるＢＬＥ識別情報が、モバイル機器３６０から受信されれば、ＢＬＥ識別情報を管理する。
【００９７】
そして、ディスプレイ装置３１０がスリープモードにあれば、通信部３１３が、ＢＬＥ識別情報を管理する動作主体にもなる（Ｓ７４０）。具体的には、通信部３１３は、スリープモードに入った後、ＢＬＥ識別情報がモバイル機器３６０から受信されれば、受信されたＢＬＥ識別情報に対応する情報が存在するか否かということを判断した結果に基づき、制御部３６１に含まれるプロセッサ（図示せず）がウェークアップされるように動作することができる。
【００９８】
スリープモードに入った後には、通信部３１３は、モバイル機器３６０から送出されたＢＬＥ信号に含まれるＢＬＥ識別情報を獲得することができる。スリープモードに入った後には、通信部３１３は、獲得されたＢＬＥ識別情報を制御部３１１に伝達せず、自主的にＢＬＥ識別情報を管理することにより、電力消耗を低減させることができる。具体的には、通信部３１３は、獲得された識別情報に対応する情報が、通信部３１３内部のメモリに保存されているか否かということを判断した結果に基づき、プロセッサがウェークアップされるように動作することができる。
【００９９】
具体的には、通信部３１３は、所定データを保存する内部メモリ（図示せず）を含んでもよい。そして、該内部メモリ（図示せず）は、ディスプレイ装置３１０とペアリングされる外部電子装置（例えば、モバイル機器））のＢＬＥ識別情報を保存することができる。ここで、ディスプレイ装置３１０とペアリングされる外部電子装置は、ディスプレイ装置３１０に登録された電子装置にもなる。ディスプレイ装置３１０は、ペアリングまたは登録の段階において、外部電子装置（図示せず）のＢＬＥ識別情報を獲得し、それを通信部３１３の内部メモリ（図示せず）及びメモリ３６５に保存することができる。
【０１００】
従って、通信部３１３は、受信されたＢＬＥ識別情報に対応する情報が、通信部３１３の内部メモリ（図示せず）に存在すれば、制御部３６１に含まれるプロセッサがウェークアップされるように、制御部３６１にウェークアップ信号を伝送することができる。また、通信部３１３は、受信されたＢＬＥ識別情報に対応する情報が、通信部３１３の内部メモリ（図示せず）に存在しなければ、制御部３６１に含まれるプロセッサがウェークアップされないようにし、スリープモードが続けて維持されるように動作することができる。
【０１０１】
例えば、第１モバイル機器が、第１ ＢＬＥ識別情報値を有し、第２モバイル機器が、第２ ＢＬＥ識別情報を有する場合を例に挙げる。そして、該第１モバイル機器は、ディスプレイ装置３１０に、ペアリング動作遂行を介して登録された装置であり、第２モバイル機器は、ディスプレイ装置３１０に登録されていない装置であるとする。
【０１０２】
その場合、ディスプレイ装置３１０は、第１モバイル機器とのペアリング動作遂行段階において、通信部３１３の内部メモリ（図示せず）、及び制御部３６１に参照されるメモリ３６５に、第１ ＢＬＥ識別情報を保存させることになる。ペアリング後に後続する時点において、通信部３１３に第１ ＢＬＥ識別情報が感知または受信されれば、通信部３１３は、感知または受信された第１ ＢＬＥ識別情報に対応する情報が、通信部３１３の内部メモリ（図示せず）に保存されているか否かということを判断することにより、第１ ＢＬＥ識別情報を送出した第１モバイル機器が、ディスプレイ装置３１０に登録された装置であるか否かということを判断することができる。前述の例において、通信部３１３は、感知または受信された第１ ＢＬＥ識別情報と対応する、具体的に同一情報が通信部３１３の内部メモリ（図示せず）に保存されているので、通信部３１３は、制御部３１１がウェークアップされるように、ウェークアップ信号を制御部３１１に含まれる少なくとも１つのプロセッサに伝送することができる。また、制御部３１１がウェークアップされれば、制御部３１１は、ユーザがディスプレイ装置３１０周囲に存在すると認識し、アンビエントサービスが実行されるように制御することができる。
【０１０３】
また、ペアリング後に後続する時点において、通信部３１３に第２ ＢＬＥ識別情報が感知または受信されれば、通信部３１３は、感知または受信された第２ ＢＬＥ識別情報に対応する情報が、通信部３１３の内部メモリ（図示せず）に保存されているか否かということを判断することにより、第２ ＢＬＥ識別情報を送出した第２モバイル機器が、ディスプレイ装置３１０に登録された装置であるか否かということを判断することができる。前述の例において、通信部３１３は、感知または受信された第２ ＢＬＥ識別情報と対応する、具体的に同一情報は、通信部３１３の内部メモリ（図示せず）に保存されていない。従って、通信部３１３は、第２モバイル機器が、ディスプレイ装置３１０に登録された機器ではないと判断し、制御部３１１がウェークアップされるようにせず、続けてスリープモードが維持されるように動作することができる。すなわち、感知または受信された第２ ＢＬＥ識別情報を無視し、スリープモードを続けて維持することができる。
【０１０４】
前述のように、開示された実施形態によるディスプレイ装置３１０は、ＢＬＥ識別情報を利用し、ディスプレイ装置３１０がウェークアップされる前、ＢＬＥ識別情報を管理する主体が通信部３１３になるようにすることにより、不要にディスプレイ装置３１０がウェークアップされることを防止することができる。従って、ＢＬＥ識別情報が受信または感知された場合、ＢＬＥ識別情報を送出した外部電子装置が、登録された機器であるか否かということを判断し、後続動作（例えば、ウェークアップ動作遂行またはスリープモード続けて維持など）に消耗される電力を最小化させることができる。
【０１０５】
図５は、開示された実施形態によるディスプレイ装置を示すブロック図である。ディスプレイ装置５００は、ディスプレイ装置１６０，２１０及び３１０のうち少なくとも一つにも対応する。
【０１０６】
図５に図示されたディスプレイ装置５００において、図４に図示されたディスプレイ装置３１０と同一構成は、同一図面記号を利用して図示した。従って、ディスプレイ装置５００についての説明にあたり、図４と重複される説明は、省略する。
【０１０７】
図５を参照すれば、ディスプレイ装置５００は、制御部３１１、通信部３１３、メモリ３１５、ディスプレイ３１７及びユーザインターフェース５５０を含む。ディスプレイ装置５００は、例えば、ＢＬＥ通信ネットワーク４０５（図４）を介し、モバイル機器３６０と通信することができる。
【０１０８】
ディスプレイ３１７は、制御部３１１の制御によって映像をディスプレイする。具体的には、ディスプレイ３１７は、アンビエントサービスが実行される間には、アンビエントサービスに対応する画面イメージをディスプレイすることができる。ここで、アンビエントサービスに対応する画面イメージとしては、名画、写真、時計、風景画面などにもなる。
【０１０９】
ディスプレイ３１７がターンオフされれば、ディスプレイ３１７の画面は、ブラック画面にもなる。また、ディスプレイ３１７がターンオンされた場合、すなわち、ディスプレイ装置５００が正常モードにある場合、ディスプレイ３１７は、所定コンテンツに対応する画面イメージをディスプレイすることができる。または、ディスプレイ３１７がターンオンされた後、アンビエントサービスを実行中である場合、ディスプレイ３１７は、アンビエントサービスに対応する対応する画面イメージをディスプレイすることができる。
メモリ３１５は、少なくとも１つのインストラクションを保存する。
【０１１０】
制御部３１１は、メモリ３１５に保存された少なくとも１つのインストラクションを遂行するプロセッサ（図示せず）を少なくとも一つ含む。具体的には、制御部３１１に含まれるプロセッサは、メモリ３１５に保存されている少なくとも１つのインストラクションを実行させ、所定動作が遂行されるように制御することができる。
【０１１１】
具体的には、制御部３１１は、前述の動作、及び後述する動作を遂行する少なくとも１つのプログラムが保存されたメモリ（図示せず）、及び保存された少なくとも１つのプログラムを実行する少なくとも１つのプロセッサを含んでもよい。ここで、制御部３１１の内部に具備されるメモリ（図示せず）は、メモリ３１５に対応し、前述の少なくとも１つのインストラクションを保存することができる。また、制御部３１１の内部にメモリ（図示せず）を具備せず、メモリ３１５のみを具備し、メモリ３１５に、前述の少なくとも１つのプログラムを保存することもできる。
【０１１２】
具体的には、制御部３１１は、ディスプレイ装置５００の外部から入力される信号またはデータを保存するか、あるいはディスプレイ装置５００で遂行される多様な作業に対応する保存領域として使用されるＲＡＭ（random access memory）（図示せず）、ディスプレイ装置５００の制御のための制御プログラムが保存されたＲＯＭ（read only memory）（図示せず）、及び少なくとも１つのプロセッサ（図示せず）を含んでもよい。ここで、ＲＡＭ（図示せず）は、情報を記録したり読み取ったりするか、あるいは記録された情報を修正することができる全てのメモリを含んでもよく、「揮発性メモリ（volatile memory）」とも呼ばれる。また、ＲＯＭ（図示せず）は、１回記録された情報を読み取ることだけでき、修正することができないメモリを含み、「不揮発性メモリ（non-volatile memory）」とも呼ばれる。また、前述の制御部３１１に含まれるＲＡＭ（図示せず）及びＲＯＭ（図示せず）は、メモリ３１５内に含まれる形態にも形成される。また、制御部３１１及びメモリ３１５は、それぞれＲＡＭ（図示せず）及びＲＯＭ（図示せず）を含んでもよい。
【０１１３】
また、メモリ３１５は、フラッシュメモリタイプ（flash memory type）、ハードディスクタイプ（hard disk type）、マルチメディアカードマイクロタイプ（multimedia card micro type）、カードタイプのメモリ（例えば、ＳＤメモリまたはＸＤメモリなど）、ＲＡＭ、ＳＲＡＭ（static random access memory）、ＲＯＭ、ＥＥＰＲＯＭ（electrically erasable and programmable read only memory）、ＰＲＯＭ（programmable read only memory）、磁気メモリ、磁気ディスク、光ディスクのうち少なくとも１のタイプの記録媒体を含んでもよい。
【０１１４】
また、図４で説明したモバイル機器３６０の制御部３６１の内部構成は、前述の制御部３１１の詳細構成と同一にも対応する。
【０１１５】
モバイル機器３６０のメモリ３６５は、前述のメモリ３１５の詳細構成と同一にも対応する。
【０１１６】
また、制御部３１１に含まれるプロセッサ（図示せず）は、ビデオに対応するグラフィック処理のためのグラフィックプロセッサ（graphic processing unit）（図示せず）を含んでもよい。
【０１１７】
また、制御部３１１に含まれるプロセッサ（図示せず）は、コア（図示せず）とＧＰＵ（図示せず）とを統合したＳｏＣ（system on chip）によっても具現される。プロセッサ（図示せず）は、シングルコア、デュアルコア、トリプルコア、クアッドコア、及びその倍数のコアを含んでもよい。
【０１１８】
通信部３１３は、ＢＬＥ通信ネットワーク４０５を含む少なくとも１つの無線ネットワークを介してモバイル機器３６０と通信を行うことができる。具体的には、通信部３１３は、ＢＬＥ通信ネットワーク４０５を介し、ＢＬＥ信号を受信することができる。
【０１１９】
具体的には、通信部３１３は、無線通信を行うことができる少なくとも１つの通信モジュールを含んでもよい。具体的には、通信部３１３に含まれる通信モジュールとしては、ブルートゥース（登録商標）モジュール５１１及び無線ＬＡＮモジュール５１２を含んでもよい。また、通信部３１３は、内部メモリ５１３を含んでもよい。
【０１２０】
ブルートゥース（登録商標）モジュール５１１は、ブルートゥース（登録商標）通信規格により、外部電子装置２５０から送信されるブルートゥース（登録商標）信号を受信する。ここで、ブルートゥース（登録商標）モジュール５１１は、ＢＬＥモジュールにもなり、ＢＬＥ信号を受信することができる。
【０１２１】
具体的には、ブルートゥース（登録商標）モジュール５１１は、ＢＬＥ信号が受信されるか否かということを感知するために、常時的または一時的に、ＢＬＥ信号をスキャンすることができる。
【０１２２】
また、通信部３１３は、無線ＬＡＮモジュール５１２をさらに含んでもよい。無線ＬＡＮモジュール５１２は、Ｗｉ−Ｆｉ通信規格により、外部電子装置２５０から送信されるＷｉ−Ｆｉ信号を受信することができる。
【０１２３】
また、通信部３１３は、図示されたブルートゥース（登録商標）モジュール５１１及び無線ＬＡＮモジュール５１２以外にも、互いに異なる種類の無線信号を送受信することができる少なくとも１つの無線通信モジュールをさらに含んでもよい。
【０１２４】
以下においては、通信部３１３がＢＬＥモジュールに形成され、ＢＬＥ信号を受信する場合を例として挙げて説明する。
【０１２５】
開示された実施形態において、通信部３１３は、内部に内部メモリ５１３を含んでもよい。内部メモリ５１３は、ブルートゥース（登録商標）モジュール５１１を介して受信されるＢＬＥ信号に含まれるＢＬＥ識別情報を保存することができる。また、内部メモリ５１３は、通信部３１３が、外部の電子装置、例えば、モバイル機器３６０と無線通信を行うのに必要なデータを保存することができる。例えば、ディスプレイ装置５００がモバイル機器３６０と、ブルートゥース（登録商標）通信ネットワークを介して連結される場合、モバイル機器３６０のブルートゥース（登録商標）ＭＡＣアドレス（ＢＴ ＭＡＣアドレス：Bluetooth ＭＡＣアドレス）などを受信し、モバイル機器３６０とのペアリング動作を遂行することができる。それにより、内部メモリ５１３は、モバイル機器３６０で受信されるブルートゥース（登録商標）ＭＡＣアドレスを保存することができる。
【０１２６】
ディスプレイ３１７は、所定情報をユーザに、視覚的に認識させる画面イメージのようなビデオ信号を出力する。
【０１２７】
ユーザインターフェース５５０は、ディスプレイ装置５００を制御するためのユーザ入力を受信することができる。ユーザインターフェース５５０は、ユーザのタッチを感知するタッチパネル、ユーザのプッシュ操作を受信するボタン、ユーザの回転操作を受信するホイール、キーボード及びドームスイッチなどを含むユーザ入力デバイスを含んでもよいが、それらに制限されるものではない。
【０１２８】
開示された実施形態において、制御部３１１の制御により、モバイル機器３６０とのペアリング及び／または登録のためのユーザインターフェース画面（図示せず）が出力される場合、ユーザは、ユーザインターフェース５５０を介し、モバイル機器３６０を登録するためのデータ及び／または命令を入力することができる。それにより、制御部３１１は、ユーザの入力に基づき、モバイル機器３６０とのペアリング及び／または登録動作を遂行することができる。
【０１２９】
図６は、開示された実施形態によるディスプレイ装置を示す他のブロック図である。
【０１３０】
図６は、開示された実施形態によるディスプレイ装置を示すブロック図である。
【０１３１】
開示された実施形態によるディスプレイ装置６００は、図１ないし図５を参照して説明したディスプレイ装置３１０または５００に同一対応する。それにより、ディスプレイ装置６００についての説明にあたり、図１ないし図５と重複する説明は、省略する。具体的には、ディスプレイ装置６００は、無線信号であるＢＬＥ信号を受信するディスプレイ装置にもなる。
【０１３２】
図６を参照すれば、ディスプレイ装置６００は、ビデオ処理部６１０、ディスプレイ部６１５、オーディオ処理部６２０、オーディオ出力部６２５、電源部６３０、チューナ部６４０、通信部６５０、感知部６６０、入出力部６７０、制御部６８０、メモリ６９０を含む。
【０１３３】
ここで、制御部６８０は、図５に図示されたディスプレイ装置５００の制御部３１１にも対応する。また、図５に図示された通信部３１３、ブルートゥース（登録商標）モジュール５１１、無線ＬＡＮモジュール５１２、ディスプレイ３１７及びメモリ３１５は、それぞれ図６に図示されたディスプレイ装置６００の通信部６５０、ブルートゥース（登録商標）モジュール６５２、無線ＬＡＮモジュール６５１、ディスプレイ部６１５及びメモリ６９０に対応する。従って、図６に図示されたディスプレイ装置６００についての説明にあたり、開示された実施形態によるディスプレイ装置５００の説明と重複する説明は、省略する。
【０１３４】
ビデオ処理部６１０は、ディスプレイ装置６００が受信したビデオデータに対する処理を行う。ビデオ処理部６１０においては、ビデオデータに対するデコーディング、スケーリング、ノイズフィルタリング、フレームレート変換、解像度変換のような多様なイメージ処理を行うことができる。
【０１３５】
制御部６８０は、ビデオ処理部６１０で処理されたビデオデータに対する記録要請を受信し、ビデオデータを暗号化し、制御部６８０またはメモリ６９０に含まれるメモリ装置（図示せず）、例えば、ＲＡＭ（図示せず）に記録されるように制御することができる。
【０１３６】
ディスプレイ部６１５は、制御部６８０の制御により、チューナ部６４０を介して受信された放送信号に含まれたビデオを画面に表示する。また、ディスプレイ部６１５は、通信部６５０または入出力部６７０を介して入力されるコンテンツ（例えば、動画）を表示することができる。
【０１３７】
また、ディスプレイ部６１５は、制御部６８０の制御により、メモリ６９０に保存された映像を出力することができる。また、ディスプレイ部６１５は、音声認識に対応する音声認識タスクを遂行するための音声ＵＩ（user interface）（例えば、音声命令語ガイドを含む）、またはモーション認識に対応するモーション認識タスクを遂行するためのモーションＵＩ（例えば、モーション認識のためのユーザモーションガイドを含む）を表示することができる。
【０１３８】
オーディオ処理部６２０は、オーディオデータに対する処理を行う。オーディオ処理部６２０においては、オーディオデータに対するデコーディングや増幅やノイズフィルタリングのような多様な処理が行われうる。一方、オーディオ処理部６２０は、複数のコンテンツに対応するオーディオを処理するために、複数のオーディオ処理モジュールを具備することができる。
【０１３９】
オーディオ出力部６２５は、制御部６８０の制御により、チューナ部６４０を介して受信された放送信号に含まれたオーディオを出力する。オーディオ出力部６２５は、通信部６５０または入出力部６７０を介して入力されるオーディオ（例えば、音声、サウンド）を出力することができる。また、オーディオ出力部６２５は、制御部６８０の制御により、メモリ６９０に保存されたオーディオを出力することができる。オーディオ出力部６２５は、スピーカ６２６、ヘッドフォン出力端子６２７またはＳ／ＰＤＩＦ（Sony/Philips Digital Interface）出力端子６２８のうち少なくとも一つを含んでもよい。オーディオ出力部６２５は、スピーカ６２６、ヘッドフォン出力端子６２７及びＳ／ＰＤＩＦ出力端子６２８の組み合わせを含んでもよい。
【０１４０】
開示された実施形態において、スピーカ６２６は、音波信号を出力することができる。具体的には、スピーカ６２６は、超音波信号を出力することができる。
【０１４１】
電源部６３０は、制御部６８０の制御により、ディスプレイ装置６００内部の構成要素に、外部の電源ソースから入力される電源を供給する。また、電源部６３０は、制御部６８０の制御により、ディスプレイ装置６００内部に位置する１または２以上のバッテリ（図示せず）から出力される電源を内部の構成要素に供給することができる。
【０１４２】
チューナ部６４０は、有線または無線で受信される放送信号を、増幅（amplification）、混合（mixing）、共振（resonance）などを介し、多い電波成分のうち、ディスプレイ装置６００で受信するチャンネルの周波数のみをチューニング（tuning）して選択することができる。該放送信号は、オーディオ、ビデオ及び付加情報（例えば、ＥＰＧ（electronic program guide））を含む。
【０１４３】
チューナ部６４０は、ユーザ入力（例えば、外部の制御装置（図示せず）、例えば、遠隔制御装置から受信される制御信号、例えば、チャネル番号入力、チャネルのアップダウン（up-down）入力及びＥＰＧ画面でのチャネル入力）により、チャネル番号（例えば、ケーブル放送５０６番）に対応する周波数帯域で放送信号を受信することができる。
【０１４４】
チューナ部６４０は、地上波放送、ケーブル放送、衛星放送、インターネット放送のように、多様なソースから放送信号を受信することができる。チューナ部６４０は、アナログ放送またはデジタル放送のようなソースから、放送信号を受信することもできる。チューナ部６４０を介して受信された放送信号は、デコーディング（decoding、例えば、オーディオデコーディング、ビデオデコーディングまたは付加情報デコーディング）され、オーディオ、ビデオ及び／または付加情報に分離される。分離されたオーディオ、ビデオ及び／または付加情報は、制御部６８０の制御により、メモリ６９０にも保存される。
【０１４５】
ディスプレイ装置６００のチューナ部６４０は、一つでもあり、複数でもある。一実施形態により、チューナ部６４０が複数個によってなる場合、ディスプレイ部６１５に提供されるマルチウインドウ画面をなす複数個のウィンドウに、複数個の放送信号を出力することができる。
【０１４６】
チューナ部６４０は、ディスプレイ装置６００と一体型（all-in-one)に具現されるか、あるいはディスプレイ装置６００と電気的に連結されるチューナ部を有する別個の装置（例えば、セットトップボックス（set-top box）（図示せず）、入出力部６７０に連結されるチューナ部（図示せず））によっても具現される。
【０１４７】
通信部６５０は、制御部６８０の制御により、ディスプレイ装置６００を外部装置（例えば、オーディオ装置など）と連結することができる。制御部６８０は、通信部６５０を介して連結された外部装置に、コンテンツを送／受信したり、外部装置からアプリケーションをダウンロードしたり、ウェブブラウジングをしたりすることができる。具体的には、通信部６５０は、ネットワークに接続し、外部装置（図示せず）からコンテンツを受信することができる。
【０１４８】
前述のように、通信部６５０は、近距離通信モジュール（図示せず）、有線通信モジュール（図示せず）及び移動通信モジュール（図示せず）のうち少なくとも一つを含んでもよい。
【０１４９】
図６においては、通信部６５０が、無線ＬＡＮ ６５１、ブルートゥース（登録商標）モジュール６５２及び有線イーサネット（Ether net）１５３のうち一つを含む場合を例として挙げて図示した。
【０１５０】
また、通信部６５０は、無線ＬＡＮ ６５１、ブルートゥース（登録商標）モジュール６５２及び有線イーサネット１５３の組み合わせを含んでもよい。また、通信部６５０は、制御部６８０の制御により、制御装置（図示せず）の制御信号を受信することができる。該制御信号は、ブルートゥース（登録商標）タイプ、ＲＦ信号タイプまたはＷｉ−Ｆｉタイプによっても具現される。
【０１５１】
開示された実施形態において、ブルートゥース（登録商標）モジュール６５２は、ＢＬＥ通信規格によるＢＬＥ信号を送信または受信することができる。
【０１５２】
通信部６５０は、ブルートゥース（登録商標）以外に、他の近距離通信（例えば、ＮＦＣ（near-field communication））、別途のＢＬＥモジュール）をさらに含んでもよい。
【０１５３】
感知部６６０は、ユーザの音声、ユーザの映像、またはユーザのインタラクションを感知する。
【０１５４】
マイク６６１は、ユーザの発話（utterance）された音声を受信する。マイク６６１は、受信された音声を電気信号に変換し、制御部６８０に出力することができる。ユーザ音声は、例えば、ディスプレイ装置６００のメニューまたは機能に対応する音声を含んでもよい。例えば、マイク６６１の認識範囲は、マイク６６１からユーザ位置まで４ｍ以内を勧め、マイク６６１の認識範囲は、ユーザ音声の大きさと、周辺環境（例えば、スピーカ音、周辺騒音）に対応しても異なる。
【０１５５】
マイク６６１は、ディスプレイ装置６００と、一体型または分離型にも具現される。分離されたマイク６６１は、通信部６５０または入出力部６７０を介し、ディスプレイ装置６００と電気的に連結されうる。
【０１５６】
開示された実施形態において、マイク６６１は、ユーザ音声以外にも、音波信号を受信することができる。具体的には、マイク６６１は、超音波信号を受信することができる。
【０１５７】
ディスプレイ装置６００の性能及び構造により、マイク６６１が除かれうるということは、当該技術分野において当業者であるならば、容易に理解されるであろう。
【０１５８】
カメラ部６６２は、カメラ認識範囲において、ジェスチャを含むユーザのモーションに対応する映像（例えば、連続フレーム）を受信する。例えば、カメラ部６６２の認識範囲は、カメラ部６６２からユーザまで、０．１〜５ｍ以内距離にもなる。ユーザモーションは、例えば、ユーザの顔、表情、手、拳、指のようなユーザの身体一部分、またはユーザ一部分のモーションなどを含んでもよい。カメラ部６６２は、制御部６８０の制御により、受信された映像を電気信号に変換し、制御部６８０に出力することができる。
【０１５９】
制御部６８０は、受信されたモーションの認識結果を利用し、ディスプレイ装置６００に表示されるメニューを選択したり、モーション認識結果に対応する制御をしたりすることができる。例えば、チャネル調整、ボリューム調整、指示子移動を含んでもよい。
【０１６０】
カメラ部６６２は、レンズ（図示せず）及びイメージセンサ（図示せず）によっても構成される。カメラ部６６２は、複数のレンズと、イメージプロセッシングとを利用し、光学ズーム（optical zoom）またはデジタルズーム（digital zoom）を支援することができる。カメラ部６６２の認識範囲は、カメラの角度及び周辺環境条件によって多様にも設定される。カメラ部６６２が複数個のカメラによって構成される場合、複数のカメラを利用し、三次元静止イメージまたは三次元モーションを受信することができる。
【０１６１】
カメラ部６６２は、ディスプレイ装置６００と、一体型または分離型にも具現される。分離されたカメラ部６６２を含む別途の装置（図示せず）は、通信部６５０または入出力部６７０を介し、ディスプレイ装置６００とも電気的に連結される。
【０１６２】
ディスプレイ装置６００の性能及び構造により、カメラ部６６２が除かれうるということは、当該技術分野において当業者であるならば、に容易に理解されるであろう。
【０１６３】
光受信部６６３は、外部の制御装置（図示せず）から受信される光信号（制御信号を含む）をディスプレイ部６１５のベゼルの光窓（図示せず）などを介して受信する。光受信部６６３は、制御装置（図示せず）から、ユーザ入力（例えば、タッチ、押し、タッチジェスチャ、音声またはモーション）に対応する光信号を受信することができる。受信された光信号から、制御部６８０の制御により、制御信号が抽出されうる。
【０１６４】
例えば、光受信部６６３は、制御装置（図示せず）のポインティング位置に対応する信号を受信し、それを制御部６８０に伝送することができる。例えば、ディスプレイ部６１５を介し、ユーザからデータまたは命令を入力されるためのユーザインターフェース画面が出力され、制御装置（図示せず）を介し、ユーザがデータまたは命令をディスプレイ装置６００に入力する場合、光受信部６６３は、ユーザが、制御装置（図示せず）に設けられたタッチパッド（図示せず）に指を接触させた状態で制御装置（図示せず）を動かせば、該制御装置（図示せず）の動きに対応する信号を受信し、それを制御部６８０に伝送することができる。また、光受信部６６３は、制御装置（図示せず）に設けられた特定のボタンが押されたことを示す信号を受信し、それを制御部６８０に伝送することができる。例えば、光受信部６６３は、ユーザが、制御装置（図示せず）にボタン式で設けられたタッチパッド（図示せず）を指で押せば、そのようなボタン式タッチパッド（図示せず）が押されたという信号を受信し、それを制御部６８０に伝送することができる。例えば、ボタン式タッチパッド（図示せず）が押されたという信号は、アイテム中の一つを選択するための信号として利用することができる。
【０１６５】
入出力部６７０は、制御部６８０の制御により、ディスプレイ装置６００の外部から、ビデオ（例えば、動画など）、オーディオ（例えば、音声、音楽など）及び付加情報（例えば、ＥＰＧなど）などを受信する。入出力部６７０は、ＨＤＭＩ（登録商標）ポート（high-definition multimedia interface port）６７１、コンポーネントジャック（component jack）６７２、ＰＣポート６７３及びＵＳＢ（Universal Serial Bus）ポート６７４のうち一つを含んでもよい。入出力部６７０は、ＨＤＭＩ（登録商標）ポート６７１、コンポーネントジャック６７２、ＰＣポート６７３及びＵＳＢポート６７４の組み合わせを含んでもよい。
【０１６６】
入出力部６７０の構成及び動作は、本発明の実施形態によって多様にも具現されるということは、当該技術分野の当業者に容易に理解されるであろう。
【０１６７】
制御部６８０は、ディスプレイ装置６００の全般的な動作、及びディスプレイ装置６００の内部構成要素（図示せず）間の信号フローを制御し、データを処理する機能を遂行する。制御部６８０は、ユーザの入力があるか、あるいは既設定の保存された条件を満足する場合、制御部６８０は、メモリ６９０に保存されたオペレーションシステム、及び多様なアプリケーションを実行することができる。
【０１６８】
制御部６８０は、ディスプレイ装置６００の外部から入力される信号またはデータを保存したり、ディスプレイ装置６００で遂行される多様な作業に対応する保存領域として使用されたりするＲＡＭ（図示せず）、ディスプレイ装置６００の制御のための制御プログラムが保存されたＲＯＭ（図示せず）、及びプロセッサ（図示せず）を含んでもよい。
【０１６９】
プロセッサ（図示せず）は、ビデオに対応するグラフィック処理のためのグラフィックプロセッサ（図示せず）を含んでもよい。プロセッサ（図示せず）は、コア（図示せず）とＧＰＵ（図示せず）とを統合したＳｏＣによっても具現される。プロセッサ（図示せず）は、シングルコア、デュアルコア、トリプルコア、クアッドコア、及びその倍数のコアを含んでもよい。
【０１７０】
また、プロセッサ（図示せず）は、複数のプロセッサを含んでもよい。例えば、プロセッサ（図示せず）は、メインプロセッサ（図示せず）、及びスリープモードで動作するサブプロセッサ（図示せず）によっても具現される。
【０１７１】
グラフィック処理部（図示せず）は、演算部（図示せず）及びレンダリング部（図示せず）を利用し、アイコン、イメージ、テキストのような多様な客体を含む画面イメージを生成する。該演算部は、感知部６６０を介して感知されたユーザインタラクションを利用し、画面のレイアウトにより、各客体が表示される座標値、形態、大きさ、カラーのような属性値を演算する。該レンダリング部は、演算部で演算した属性値に基づき、客体を含む多様なレイアウトの画面を生成する。該レンダリング部で生成された画面は、ディスプレイ部６１５のディスプレイ領域内に表示される。
【０１７２】
図７Ａは、開示された実施形態によるディスプレイ装置と、ＢＬＥネットワークを介して連結される携帯用機器から出力されるユーザインターフェース画面とを示す図面である。図７Ａについての説明にあたり、図３で説明したモバイル機器３６０を参照する。
【０１７３】
開示された実施形態において、アンビエントサービスは、モバイル機器３６０内にインストールされるプログラムまたはアプリケーションを介しても実行される。ここで、アンビエントサービスを実行するためのアプリケーションは、モバイル機器３６０で接続及び利用することができるアプリケーションストアを介しても配布される。ここで、該アプリケーションストアは、所定オペレーションシステム（例えば、アンドロイド（登録商標）オペレーションシステム）を有する携帯用機器がアプリケーションを購買するように、アプリケーションを配布、販売または提供するサーバを意味する。具体的には、モバイル機器３６０のユーザは、アプリケーションストアに接続し、オプリケイションストアを介して提供されるアンビエントサービスを実行するためのアプリケーションをダウンロードすることができる。それにより、モバイル機器３６０の制御部３６１またはメモリ３６５内に、アンビエントサービスを実行するためのアプリケーションがインストールされうる。
【０１７４】
また、アンビエントサービスを実行することができるアプリケーションは、ディスプレイ装置５００の製造社、販売者、ディスプレイ装置５００と連携されて利用可能なアプリケーションの開発者などによっても開発される。
【０１７５】
開示された実施形態において、ディスプレイ装置５００の製造社においては、ディスプレイ装置５００で実行可能なアンビエントサービスを実行及び制御するためのアプリケーションを開発し、アプリケーションストアに供給することができる。以下においては、説明の便宜上、「アンビエントサービスを実行及び制御するためのアプリケーション」を「アンビエントアプリケーション」と称する。それにより、モバイル機器３６０を介し、ディスプレイ装置５００で実行可能なアンビエントサービスを制御するモバイル機器３６０のユーザは、モバイル機器３６０の通信部３６３を介してアプリケーションストアに接続し、アンビエントアプリケーションをダウンロードすることができる。モバイル機器３６０は、ユーザ入力に対応し、アンビエントアプリケーションをダウンロードして保存及び実行することができる。
【０１７６】
以下では、図３に図示されたモバイル機器３６０及びディスプレイ装置３１０を参照し、アンビエントサービスを実行するためのディスプレイ装置３１０の詳細動作について、図７Ａないし図１２Ａを参照して詳細に説明する。
【０１７７】
図７Ａは、アンビエントアプリケーションの実行窓の例示を示す。ここで、実行窓７５０は、アンビエントサービスを制御するためのユーザインターフェース画面のイメージを示すことができる。
【０１７８】
図７Ａを参照すれば、アンビエントアプリケーションの実行窓７５０は、アンビエントサービスの実行いかんを設定するためのメニュー窓７６０を含んでもよい。ユーザは、メニュー窓７６０においては、スライドキー７６５を操作して、アンビエントサービスの実行いかんを設定することができる。例えば、ユーザは、スライドキー７６５を左に移動させ、アンビエントサービスが自動的に実行されるようにし、スライドキー７６５を右側に移動させ、アンビエントサービスを終了させうる。ここで、メニュー窓７６０を操作するユーザは、家庭１００（図１）内の構成員のうち一人であり、ユーザのモバイル機器３６０を利用し、ディスプレイ装置１６０（図１）または５００（図５）で実行可能なアンビエントサービスを制御するユーザにもなる。
【０１７９】
具体的には、アンビエントサービスが自動的に実行されるように実行するモードを「アンビエントオートオンモード」と称し、アンビエントサービスが実行されないようにするモードを「アンビエントオートオフモード」と称することができる。アンビエントオートオンモードにおいては、モバイル機器３６０は、ＴＶアンビエントサービスを利用及び／または実行するために、ＢＬＥ信号を伝送するように設定することができる。そして、アンビエントオートオフモードにおいては、モバイル機器３６０ＢＬＥ信号を伝送せず、従って、ＴＶアンビエントサービスを利用しない。
【０１８０】
ディスプレイ装置５００は、アンビエントオートオンモードにおいて、ＢＬＥ信号の受信またはスキャンのいかんにより、自動的にアンビエントサービス実行を維持、中断または開始することができる。
【０１８１】
また、開示された実施形態によるディスプレイ装置５００は、アンビエントサービス実行に先立ち、モバイル機器３６０の登録またはペアリングを行うことができる。
【０１８２】
ＴＶのようなディスプレイ装置５００とモバイル機器３６０とを連動させるＴＶ・モバイル連動において、モバイル機器３６０において連動する機器であるディスプレイ装置５００を検索及び選択すれば、ＢＬＥアンビエントオン／オフが可能なユーザインターフェース画面である実行窓７５０が活性化される。
【０１８３】
ここで、ディスプレイ装置５００を検索、選択及び／または登録する動作を「ペアリング」と称することができる。
【０１８４】
該ペアリング動作は、全ての通信ネットワークを利用しも遂行される。例えば、ＢＬＥ通信ネットワークではなく、一般ブルートゥース（登録商標）（ＢＴ）通信ネットワークを介しても進められる。
【０１８５】
開示された実施形態においては、相互連動される２つの機器が、同一アカウント（例：三星アカウント）を登録することを基盤とする。モバイル機器３６０において、所定アプリケーション、例えば、Samsung Connect Ａｐｐにおいて、ディスプレイ装置５００である所定ＴＶを検索し、機器追加（Add Device）を進めれば、２つの機器は、同一アカウントに連動される。同一アカウントに連動された後、ユーザは、IoT Dash Boardのように登録された機器リストを示すユーザインターフェース画面において、当該機器（ＴＶ）を選択することができる。それにより、モバイル機器３６０は、下位項目に、アンビエントオン／オフメニューであるメニュー窓７６０を含むユーザインターフェース画面を出力することができる。
【０１８６】
図７Ｂは、開示された実施形態によるディスプレイ装置で遂行される動作について説明するための図面である。
【０１８７】
メニュー窓７６０において、アンビエントサービスを活性化させれば、モバイル機器３６０とディスプレイ装置３１０は、ＢＬＥペアリングを行うことになる（Ｓ７１０）。ＢＬＥペアリングは、前述のディスプレイ装置３１０を検索、選択及び／または登録するペアリング動作と別途の動作であり、ＢＬＥ通信ネットワークを介して連結可能な機器間のペアリング手続きを意味する。
【０１８８】
ＢＬＥペアリングを行うことになれば、モバイル機器３６０のＢＬＥアドレスが任意に（random）変わり、以前にＢＬＥペアリングされた機器である登録されたモバイル機器３６０であるか否かということの判断が可能である。
【０１８９】
ＢＬＥペアリング動作（Ｓ７１０）は、図８を参照して詳細に説明する。
【０１９０】
図８は、開示された実施形態によるディスプレイ装置で遂行されるペアリング動作について説明するための図面である。図８において、モバイル機器３６０及びディスプレイ装置３１０は、図３で説明したモバイル機器３６０及びディスプレイ装置３１０に同一対応し、同一構成について、同一図面記号を利用して図示した。従って、図３と重複する説明は、省略する。また、図８で図示したディスプレイ装置３１０は、図５で説明したディスプレイ装置３１０に対応する。
【０１９１】
ＢＬＥペアリングは、要請段階（Phase １）（Ｓ８２１、Ｓ８２２）、キー合意段階（Phase ２）（Ｓ８２３）及びキー交換段階（Phase ３）（Ｓ８２４、Ｓ８２５）にも区分される。
【０１９２】
ＢＬＥペアリングの初段階である（Phase １）においては、ペアリング要請と応答とがなされる。具体的には、モバイル機器３６０は、ペアリングを要請する信号をディスプレイ装置３１０に送信し（Ｓ８２１）、ディスプレイ装置３１０は、要請に応答し、ペアリングを許諾する応答をモバイル機器３６０に伝送することができる。
【０１９３】
２番目段階（Phase ２）は、保安を維持するように、保安チャネル（secure channel）を生成する段階である。具体的には、２番目段階（Phase ２）においては、２つの機器であるモバイル機器３６０とディスプレイ装置３１０との間でＳＴＫ（short-term key）を生成し、臨時に使用する保安チャネルを生成する。
【０１９４】
後続する３番目段階（Phase ３）においては、ＢＬＥペアリング時に使用する保安キーを共有する段階である。具体的には、ＢＬＥペアリングが行われた後、モバイル機器３６０から送付する任意アドレスを、本来のアドレスであるＢＬＥペアリング時に伝送されていたアドレスである「ＢＬＥアドレス」に変換するために利用されるＩＲＫが交換されうる。具体的には、実際ＢＬＥペアリングのためのキー（ＬＴＫ（long-term key）、ＩＲＫ、ＣＳＲＫ（connection signature resolving key））が共有されれば、ＢＬＥペアリングが完了する。ここで、ＢＬＥペアリング時に伝送された情報、例えば、ＢＬＥアドレス、キー（ＬＴＫ、ＩＲＫ、ＣＳＲＫ）などは、通信部３１３の内部メモリ５１３（図５）にも保存される。
【０１９５】
具体的には、Phase １において、モバイル機器３６０は、ペアリングを要請する信号をディスプレイ装置３１０に送信するとき（Ｓ８２１）、モバイル機器３６０は、ＢＬＥ信号を送信する機器を識別するための「ＢＬＥアドレス」をディスプレイ装置３１０に送信することができる。ここで、該ＢＬＥアドレスは、ＢＬＥ信号を送出するモバイル機器３６０の出処を知らせる、モバイル機器３６０を識別するための固有（unique）値を含んでもよい。具体的には、該ＢＬＥアドレスは、ディスプレイ装置３１０と、ＢＬＥ通信ネットワークを介して連結されるモバイル機器３６０を識別する情報にもなる。例えば、該ＢＬＥアドレスは、モバイル機器３６０のＢＬＥ ＭＡＣアドレスを含んでもよい。従って、前述のＢＬＥアドレスは、「ＢＬＥ識別情報」と同一意味にも解釈され、該ＢＬＥアドレスは、ＢＬＥ識別情報とも呼ばれる。
【０１９６】
前述の図８でのペアリング動作は、ブルートゥース（登録商標）通信規格による動作である。また、開示された実施形態において、モバイル機器３６０とディスプレイ装置３１０とペアリングされるとき、図８で説明したペアリング動作を遂行することが保安のために望ましいが、それ以外にも、既存に使用されているペアリング方法が使用されうるということは、言うまでもない。
【０１９７】
２機器間のペアリング動作において、２機器は、互いの情報を共有する。このとき、モバイル機器３６０は、自体のオペレーションシステムタイプに係わる情報（例えば、アンドロイド（登録商標）、ｉＯＳなど）をディスプレイ装置３１０に伝送することができる。
【０１９８】
開示された実施形態において、受信端であるディスプレイ装置３１０において、ＢＬＥペアリング時点において、モバイル機器３６０のＢＬＥアドレスを保存し、後続して伝送される任意アドレスであるランダムＢＬＥアドレスを含むパケット（具体的には、ＢＬＥパケット）の区別に使用することになる。
【０１９９】
図９は、開示された実施形態によるディスプレイ装置で遂行される動作について説明するための他の図面である。図９において、図８と同一構成は、同一図面記号を利用して図示した。従って、図９において、モバイル機器３６０及びディスプレイ装置３１０は、図３で説明したモバイル機器３６０及びディスプレイ装置３１０に同一対応し、図３と重複する説明は、省略する。また、図９で図示したディスプレイ装置３１０は、図５で説明したディスプレイ装置５００に対応する。
【０２００】
開示された実施形態において、ディスプレイ装置３１０は、正常モードであるかスリープモードであるかということにより、制御部３１１または通信部３１３のうちいずれか一つが、ＢＬＥ識別情報を管理する動作主体にもなる。
【０２０１】
図９を参照すれば、９０１ブロックは、アンビエントサービスが実行される正常モードの間、ディスプレイ装置３１０の動作を示す。また、９０２ブロックは、スリープモードに入った後、ディスプレイ装置３１０の動作を示す。
【０２０２】
開示された実施形態において、ディスプレイ装置３１０は、ユーザが周囲にいるか否かということにより、アンビエントサービスの実行を維持または中断することができる。ユーザがディスプレイ装置３１０の周囲にいるか否かということを判断するために、登録されたモバイル機器３６０がディスプレイ装置３１０の周辺にあるか否かということを判断することができる。また、登録されたモバイル機器３６０がディスプレイ装置３１０の周辺にあるか否かということを判断するために、モバイル機器３６０から送出されるＢＬＥ信号を利用する。すなわち、ディスプレイ装置３１０が、モバイル機器３６０から送出されるＢＬＥ信号を感知すれば、登録されたモバイル機器３６０がディスプレイ装置３１０の周辺に存在すると認識することができる。そして、ディスプレイ装置３１０が、モバイル機器３６０から送出されるＢＬＥ信号を感知することができなければ、登録されたモバイル機器３６０がディスプレイ装置３１０の周辺に存在しないと判断することができる。それにより、ディスプレイ装置３１０は、ユーザが周辺に位置しないと認識し、アンビエントサービスが実行中であった場合、アンビエントサービスを終了させ、スリープモードに入ることができる。または、ディスプレイ装置３１０は、すでにスリープモードに入った場合、スリープモードが続けて維持されるように動作することができる。
【０２０３】
まず、９０１ブロックを参照し、アンビエントサービスが実行される正常モードの間、ディスプレイ装置３１０の動作について説明する。
【０２０４】
図９を参照すれば、モバイル機器３６０は、ＢＬＥ信号を送出することができる。ここで、該ＢＬＥ信号は、ＢＬＥ信号を送出したモバイル機器３６０を識別するための情報であるＢＬＥ識別情報を含むので、図９においては、ＢＬＥ識別情報が送信される（Ｓ９１１）と図示されている。また、該ＢＬＥ信号は、ＢＬＥパケット形態を有するので、以下においては、「ＢＬＥ信号」は、「ＢＬＥパケット」と同一意味にも使用される。
【０２０５】
ここで、モバイル機器３６０が「ＢＬＥ信号を送出すること」または「送出されたＢＬＥ信号」自体を「ＢＬＥアドバタイズメント」と称することができる。すなわち、図９に図示されたＳ９１１段階の動作は、ＢＬＥアドバタイズメント動作にもなる。図８を参照して説明したペアリング動作が完了した後、モバイル機器３６０は、ランダムＢＬＥアドレスを含むＢＬＥ信号を送出する。それにより、ディスプレイ装置３１０は、受信されたランダムＢＬＥアドレスを、以前Ｓ８２４段階で受信されたＩＲＫを利用し、最初ＢＬＥペアリング時であるＳ８２１段階で伝送されたＢＬＥアドレスに変換して認識することができる。
【０２０６】
モバイル機器３６０から周期的に、例えば、１５分ごとにランダムＢＬＥアドレスを含むＢＬＥアドバタイズメントを送信する場合、受信端であるディスプレイ装置３１０においては、ＩＲＫを利用し、最初ＢＬＥペアリング時に伝送されていたＢＬＥアドレスに変換し、かつ／または認識することができる。
【０２０７】
このとき、モバイル機器３６０においては、プライバシー（privacy）のために、一定周期、例えば、１５分ごとにＢＴ通信標準によって任意的に変わるランダムＢＬＥアドレスを生成し、ＢＬＥ信号、例えば、ＢＬＥパケットを送出することができる。ここで、ランダムＢＬＥアドレスは、プライベートアドレスであるとも言いうことができる。
【０２０８】
受信端であるディスプレイ装置３１０は、ランダムＢＬＥアドレスを含むＢＬＥパケットを受信すれば、通信部３１３に含まれる内部メモリ５１３（図５）に既保存のＩＲＫと、受信されたランダムＢＬＥアドレスとを利用し、内部演算を行えば、最初ＢＬＥペアリング時に受信及び保存されたモバイル機器３６０のＢＬＥアドレスに変換することができる。
【０２０９】
プライベートアドレスの運用と、ＩＲＫを活用したアドレス認識は、ブルートゥース（登録商標）（ＢＴ）通信標準方式にもよる。また、ＢＬＥペアリング時に受信及び登録されたＢＬＥアドレスを保存して運用することは、各システム／アプリケーションにおいて、異なるように具現することが可能である。
【０２１０】
具体的には、モバイル機器３６０の具現方式により、２つのＢＬＥアドバタイズメント方式の運用が可能である。最初方式は、モバイル機器３６０において、常時ＢＬＥアドバタイズメントを伝送する方法であり、２番目方法は、受信端であるディスプレイ装置３１０の要請がある場合にのみ、ＢＬＥアドバタイズメントを伝送する方式である。
【０２１１】
２番目方法の場合、受信端であるディスプレイ装置３１０から送信端であるモバイル機器３６０に、ＢＬＥパケットの要請が可能である。モバイル機器３６０が、受信端であるディスプレイ装置３１０の要請を確認するためには、周期的にＢＬＥスキャンがモバイル機器３６０端において行わなければならない。具体的には、「ＢＬＥスキャン」は、モバイル機器３６０が、ディスプレイ装置３１０からＢＬＥパケットを要請する信号が受信されるか否かということを感知する動作にもなる。
【０２１２】
前述のように、ＢＬＥ信号の送出及び受信にあたり、モバイル機器３６０においては、ＢＬＥスキャン及び／またはＢＬＥアドバタイズメントが常時または周期的に行わなければならない。ここで、ＢＬＥスキャンとＢＬＥアドバタイズメントは、電力消耗が少ない方式に選択することができる。例えば、オペレーションシステムがアンドロイド（登録商標）方式によるモバイル機器３６０である場合、常時ＢＬＥアドバタイズメントを行う方式を選択することができる。以下においては、説明の便宜上、アンドロイド（登録商標）方式によるモバイル機器３６０を「アンドロイド（登録商標）端末」と称する。
【０２１３】
具体的には、オペレーションシステムがｉＯＳ方式によるｉPhone（登録商標）である場合、受信端であるディスプレイ装置３１０において要請がある場合にのみ、ＢＬＥアドバタイズメントを伝送する方式を選択することができる。例えば、受信端であるディスプレイ装置３１０において、アンドロイド（登録商標）端末が１台以上登録されている場合、ディスプレイ装置３１０は、アンドロイド（登録商標）端末が常時アドバタイズメントを行うという前提で動作することになる。また、受信端であるディスプレイ装置３１０に、ｉPhone（登録商標）が１台以上登録されている場合、ディスプレイ装置３１０は、ＢＬＥアドバタイズメントを要請する信号であるｉＢｅａｃｏｎ（登録商標）を送信し、ｉPhone（登録商標）の応答を待つことになる。
【０２１４】
１つのディスプレイ装置３１０に、アンドロイド（登録商標）端末と、ｉPhone（登録商標）とが同時に登録されているならば、前述の２つの動作が同時に進められうる。ここで、ディスプレイ装置３１０が、アンドロイド（登録商標）端末のＢＬＥアドバタイズメントをスキャンする動作と、ｉPhone（登録商標）のｉＢｅａｃｏｎ（登録商標）送信動作は、いずれもモバイル機器３６０において、アンビエントサービスを使用することができるアンビエントオンモード（Ambient On）に設定した場合に遂行されうる。登録されたアンドロイド（登録商標）端末が０台であるならば、ＢＬＥスキャンが動作せず、登録ｉPhone（登録商標）が０台であるならば、ｉＢｅａｃｏｎ（登録商標）送信動作も進められない。
【０２１５】
モバイル機器３６０において、ＢＬＥ識別情報を含むＢＬＥパケット（または、ＢＬＥ信号）を伝送するＢＬＥアドバタイズメント動作を遂行されれば（Ｓ９１１）、ディスプレイ装置３１０は、ＢＬＥ識別情報を含むＢＬＥパケット（または、ＢＬＥ信号）を受信することができる（Ｓ９１２）。具体的には、ディスプレイ装置３１０の通信部３１３は、ＢＬＥ識別情報を含むＢＬＥパケットを受信する（Ｓ９１２）。ここで、ＢＬＥ識別情報は、ＢＬＥ通信ネットワークを介して連結されるモバイル機器３６０を識別する情報を含む。従って、ＢＬＥ識別情報を知ることができれば、ＢＬＥ通信ネットワークを介して連結されるモバイル機器がいかなる機器であるかということを判断することができる。
【０２１６】
開示された実施形態において、ディスプレイ装置３１０は、アンビエントサービスが実行される正常モードの間、９０１ブロックの動作を遂行し、スリープモードに入った後、９０２ブロックの動作を遂行する。図９において、正常モードと、スリープモードに入った後の動作とを区別するために、９０１ブロックと９０２ブロックとを区別して図示して説明したに過ぎず、９０１ブロックと９０２ブロックとのそれぞれの時間的な優劣は、意味がない。従って、図９においては、９０１ブロックがまず実行された後、後続して９０２ブロックが実行されるように図示されているが、９０２ブロックが実行された後、９０１ブロックが実行されてもよいのである。
【０２１７】
図９の９０１ブロックを参照すれば、開示された実施形態によるディスプレイ装置３１０の制御部３１１、具体的には、制御部３１１に含まれるプロセッサ（図示せず）は、アンビエントサービスが実行される正常モードの間、前記ＢＬＥ通信ネットワークを介して連結されるモバイル機器を識別する情報であるＢＬＥ識別情報が、前記モバイル機器から受信されれば、前記ＢＬＥ識別情報を管理する。
【０２１８】
具体的には、アンビエントサービスが実行される正常モードの間、ディスプレイ装置３１０の通信部３１３がＢＬＥ識別情報を受信すれば（Ｓ９１２）、通信部３１３は、受信されたＢＬＥ識別情報を制御部３１１が管理するように、制御部３１１に伝送する（Ｓ９１３）。それにより、制御部３１１は、伝送されたＢＬＥ識別情報を管理する。ここで、「ＢＬＥ識別情報の管理」は、ＢＬＥ識別情報に基づいて所定動作が遂行されるように制御する全ての動作を含んでもよい。
【０２１９】
具体的には、制御部３１１のプロセッサ（図示せず）は、伝送されたＢＬＥ識別情報に基づき、ＢＬＥ識別情報を伝送したモバイル機器３６０の登録いかんを判断することができる（Ｓ９１４）。具体的には、前述のＢＬＥペアリング段階において、ディスプレイ装置３１０は、モバイル機器３６０のＢＬＥ識別情報を受信して保存することにより、ペアリングされるモバイル機器３６０を登録することになる。従って、ディスプレイ装置３１０のメモリ３１５に受信されたＢＬＥ識別情報に対応する情報、すなわち、受信されたＢＬＥ識別情報と同一情報が存在すれば、ＢＬＥ識別情報を伝送したモバイル機器３６０が登録された機器であると判断することができる。
【０２２０】
具体的には、制御部３１１に含まれるプロセッサ（図示せず）は、ＢＬＥ識別情報に対応する情報が、ディスプレイ装置３１０の制御部３１１または制御部３１１が参照するメモリ３１５に保存されているか否かということを判断することにより、モバイル機器３６０の登録いかんを判断することができる（Ｓ９１４）。
【０２２１】
続けて、制御部３１１に含まれるプロセッサ（図示せず）は、登録いかん判断結果により、後続動作を遂行することができる（Ｓ９１５）。
【０２２２】
具体的には、Ｓ９１５段階の後続動作は、以下のようにも遂行される。
【０２２３】
制御部３１１、具体的には、制御部３１１に含まれるプロセッサ（図示せず）は、ＢＬＥ識別情報を伝送したモバイル機器３６０が登録された機器であると判断されれば、現在実行中であるアンビエントサービスの実行を維持することができる。ディスプレイ装置３１０に登録されたモバイル機器３６０が送信したＢＬＥ識別情報をディスプレイ装置３１０が受信したということは、ディスプレイ装置３１０の周辺に、モバイル機器３６０が位置するということを意味する。また、ディスプレイ装置３１０の周辺に、登録されたモバイル機器３６０が位置するということは、ディスプレイ装置３１０の周辺に、登録されたモバイル機器３６０を所有したユーザが位置するとも解釈される。それにより、ディスプレイ装置３１０は、ユーザがアンビエントサービスを続けて提供されうるように、アンビエントサービスの実行を維持することができる。
【０２２４】
制御部３１１、具体的には、制御部３１１に含まれるプロセッサ（図示せず）は、ＢＬＥ識別情報を伝送したモバイル機器３６０が登録されていない機器であると判断されれば、現在実行中であるアンビエントサービスの実行を終了することができる。
【０２２５】
ディスプレイ装置３１０がＢＬＥ識別情報を受信しても、受信されたＢＬＥ識別情報が、登録されていないモバイル機器（図示せず）から送出したものであるならば、ディスプレイ装置３１０は、アンビエントサービスを提供するユーザ、すなわち、登録されたモバイル機器３６０のユーザは、ディスプレイ装置３１０の周辺にいないとも解釈する。従って、電力消耗を防止するために、ディスプレイ装置３１０の制御部３１１は、実行中であるアンビエントサービスを終了するための動作を遂行することができる。
【０２２６】
具体的には、制御部３１１は、ディスプレイ３１７上に、「アンビエントサービスが終了します」または「アンビエントサービスが終了することになります。続けて実行を望むならば、確認ボタンを押してください」というようなお知らせメッセージが出力されるように制御することができる。続けて、ユーザが確認ボタンを入力しなければ、制御部３１１は、アンビエントサービスを終了し、ディスプレイ装置が正常モードからスリープモードに入るように動作することができる。具体的には、所定時間の間、ユーザ入力が感知されなければ、制御部３１１は、アンビエントサービスを終了し、ディスプレイ装置が正常モードからスリープモードに入るように動作することができる。
【０２２７】
前述のように、制御部３１１は、登録されたモバイル機器３６０からＢＬＥ識別情報が受信されていないと判断すれば、ディスプレイ装置３１０は、スリープモードに入ることができる（Ｓ９１６）。具体的には、制御部３１１は、スリープモードに入ることを通信部３１３に知らせ（Ｓ９１７）、通信部３１３を除いたディスプレイ装置３１０の残り構成要素に電源が供給されないように制御する。それにより、ディスプレイ装置３１０は、通信部３１３だけ活性化された状態を維持するスリープモードに入ることになる。
【０２２８】
また、ディスプレイ装置３１０のメモリ３１５は、第１メモリ（図示せず）及び第２メモリ（図示せず）を含んでもよい。具体的には、第１メモリ（図示せず）は、ＲＯＭタイプまたはフラッシュメモリタイプの記録媒体にもなり、第２メモリ（図示せず）は、ＲＡＭタイプの記録媒体にもなる。
【０２２９】
制御部３１１に含まれるプロセッサは、正常モードの間、ＢＬＥ識別情報がモバイル機器から受信されれば、受信されたＢＬＥ識別情報が、第１メモリ（図示せず）及び通信部３１３の内部メモリに保存されるように制御することができる。また、制御部３１１は、ＢＬＥ識別情報が変更またはアップデートされれば、それを反映させ、第１メモリ（図示せず）、及び通信部３１３の内部メモリに保存されるＢＬＥ識別情報が変更またはアップデートされるように管理することができる。
【０２３０】
そして、ディスプレイ装置３１０が正常モードに入れば、制御部３１１は、アンビエントサービスを実行するための第１アプリケーションに対応するプログラムを第２メモリ（図示せず）に搭載し、第１アプリケーションが実行されるように制御することができる。
【０２３１】
以下、図９の９０２ブロックを参照し、スリープモードに入った後、ディスプレイ装置３１０の動作について説明する。
【０２３２】
スリープモードの間にも、通信部３１３は、ＢＬＥ信号が受信されるか否かということに係わるモニタリングを続けて行うことができる（Ｓ９１８）。
【０２３３】
９０２ブロックにおいて、Ｓ９１９動作及びＳ９２０動作は、前述のＳ９１１動作及びＳ９１２動作に同一対応するので、詳細説明は、省略する。
【０２３４】
スリープモードに入った後、通信部３１３は、受信されるＢＬＥ識別情報を管理する。具体的には、通信部３１３は、スリープモードに入った後、ＢＬＥ識別情報がモバイル機器から受信されれば、受信されたＢＬＥ識別情報に対応する情報が存在するか否かということを判断した結果に基づき、制御部３１１がウェークアップされるように動作することができる。
【０２３５】
スリープモードにおいては、通信部３１３にだけ電源供給がなされ、通信部３１３だけ活性化された状態を維持し、残り構成要素には、電源供給が遮断されうる。それにより、スリープモードにおいては、ディスプレイ３１７がオフになり、ブラック画面を出力することができる。ただし、制御部３１１は、スリープモードに入った後にも、通信部３１３からウェークアップを要請する信号を受信及び認識することができる。
【０２３６】
モバイル機器の登録段階で行われるＢＬＥペアリング時、登録されたモバイル機器のＢＬＥ識別情報は、通信部３１３の内部メモリ（内部メモリ５１３（図５））にも保存されることになる。従って、通信部３１３は、内部メモリ（内部メモリ５１３（図５））に受信されたＢＬＥ識別情報に対応する情報、すなわち、受信されたＢＬＥ識別情報と同一情報が存在すれば、ＢＬＥ識別情報を伝送したモバイル機器３６０が登録された機器であると判断することができる。Ｓ９２１動作は、Ｓ９１４動作と詳細な構成が同一であるが、動作主体だけ異なる。すなわち、Ｓ９２１動作は、通信部３１３で遂行され、Ｓ９１４動作は、制御部３１１で遂行されることになる。
【０２３７】
続けて、通信部３１３は、ＢＬＥ識別情報を送信したモバイル機器の登録いかんを判断した結果により、後続動作を遂行することができる（Ｓ９１５）。具体的には、通信部３１３は、ＢＬＥ識別情報を伝送したモバイル機器３６０が登録された機器であると判断すれば、制御部３１１にそれを知らせる（Ｓ９２２）。それにより、制御部３１１は、Ｓ９２２動作を介してお知らせを受信することにより、ウェークアップされうる（Ｓ９２３）。
【０２３８】
そして、制御部３１１は、登録されたモバイル機器が周辺に位置すると判断し、ディスプレイ装置３１０が正常モードに入り、アンビエントサービスが実行されるように、ディスプレイ装置３１０を制御することができる（図示せず）。具体的には、制御部３１１は、登録されたモバイル機器が周辺に位置すると判断し、ディスプレイ装置３１０がターンオンされる正常モードに入るように制御することができる。そして、正常モードに入った後には、ユーザ設定または自体設定により、アンビエントサービスオンモードに設定された場合、アンビエントサービスが実行されるように制御することができる。
【０２３９】
また、通信部３１３は、ＢＬＥ識別情報を送信したモバイル機器が登録されていない機器であると判断すれば、スリープモードが続けて維持されるように動作することができる。すなわち、通信部３１３は、お知らせ（Ｓ９２２）を制御部３１１に伝送せず、制御部３１１がウェークアップされないように動作することができる。
【０２４０】
図１０は、開示された実施形態によるディスプレイ装置で遂行される動作について説明するための他の図面である。図１０に図示された動作は、ディスプレイ装置３１０または５１０を介しても遂行される。従って、図４に図示されたディスプレイ装置３１０及びモバイル機器３６０を参照し、図１０に図示された動作について説明する。
【０２４１】
図１０に図示された動作（１０００）は、図９の９０１ブロックの動作をさらに詳細に示す。すなわち、図１０は、ディスプレイ装置３１０の制御部３１１で遂行される動作を詳細に示す図面である。
【０２４２】
図１０を参照すれば、開示された実施形態によるディスプレイ装置３１０は、ＢＬＥペアリングを行い（Ｓ１０１０）、所定モバイル機器を登録することができる。ＢＬＥペアリング動作は、図８を参照して詳細に説明したので、詳細説明は、省略する。
【０２４３】
所定モバイル機器の登録が完了した後、ディスプレイ装置３１０は、アンビエントサービスが実行される間、登録されたモバイル機器が感知されるか否かということ判断する（Ｓ１０２０）。具体的には、アンビエントサービスが実行されるということは、ディスプレイ装置３１０が正常モードにあるということであるので、登録されたモバイル機器が感知されるか否かということを、制御部３１１が判断することができる。すなわち、Ｓ１０２０動作は、図９のＳ９１４動作にも対応する。Ｓ９１４動作で説明したように、登緑されたモバイル機器が感知されたか否かということは、受信されたＢＬＥ識別情報に対応する情報が、メモリ３１５に保存されているか否かということを判断することである。
【０２４４】
Ｓ１０２０動作の判断結果、登録されたモバイル機器が感知されれば、制御部３１１は、アンビエントサービスの実行を維持することができる（Ｓ１０３０）。
【０２４５】
Ｓ１０２０動作の判断結果、登録されたモバイル機器が感知されなければ、制御部３１１は、アンビエントサービスの実行終了を確認するためのお知らせメッセージを出力することができる（Ｓ１０４０）。ここで、該お知らせメッセージは、オーディオ信号またはビデオ信号によっても出力される。具体的には、制御部３１１は、ディスプレイ３１７上に「アンビエントサービスが終了します」または「アンビエントサービスが終了することになります。続けて実行を望むならば、確認ボタンを押してください」というようなお知らせメッセージが出力されるように制御することができる。
【０２４６】
続けて、制御部３１１は、所定時間の間、ユーザ入力が感知されなければ、制御部３１１は、アンビエントサービスを終了し（Ｓ１０４５）、ディスプレイ装置が正常モードからスリープモードに入るように動作することができる（Ｓ１０５０）。
【０２４７】
現在提供される携帯用機器のオペレーションシステムは、大きく二つに分類される。具体的には、携帯用機器のオペレーションシステムは、アップル社で開発及び供給するｉＯＳと、Google社で開発及び供給するアンドロイド（登録商標）とにも分類される。
【０２４８】
開示された実施形態によるディスプレイ装置３１０は、モバイル機器のオペレーションシステムにより、モバイル機器を認識する方式、またはＢＬＥ信号を受信する方式を互いに異なるように設定することができる。
【０２４９】
具体的には、制御部３１１に含まれるプロセッサ（図示せず）は、モバイル機器のオペレーションシステムにより、アンビエントサービス実行のためにペアリングされるモバイル機器を認識する方式を互いに異なるように設定することができる。
【０２５０】
具体的には、モバイル機器の登録のためのＢＬＥペアリング動作を行うとき、モバイル機器３６０からディスプレイ装置３１０に、ＯＣＦ（Opcode Command Field）コマンドを送信することができる。ここで、ＯＣＦコマンドには、モバイル機器３６０のオペレーションシステムのタイプを定義する部分を含む。
【０２５１】
モバイル機器３６０のオペレーションシステムがアンドロイド（登録商標）である場合、ディスプレイ装置３１０は、＜ＯＳ＝Android＞を含むＯＣＦコマンドを受信することができる。それにより、ディスプレイ装置３１０は、モバイル機器３６０のオペレーションシステムがアンドロイド（登録商標）タイプであるか否かということを確認することができ、アンドロイド（登録商標）オペレーションシステムに対応するスキャン周期またはスキャン方法を設定することができる。
【０２５２】
そして、モバイル機器３６０のオペレーションシステムがｉＯＳである場合、ディスプレイ装置３１０は、＜ＯＳ＝ｉＯＳ＞を含むＯＣＦコマンドを受信することができる。それにより、ディスプレイ装置３１０は、モバイル機器３６０のオペレーションシステムがｉＯＳタイプであるか否かということを確認することができ、ｉＯＳオペレーションシステムに対応するスキャン周期またはスキャン方法を設定することができる。
【０２５３】
図１１Ａないし図１１Ｄは、第１オペレーションシステムを有する携帯用機器とペアリングされるディスプレイ装置で実行されるアンビエントサービスの動作について説明するための図面である。ここで、第１オペレーションシステムは、アンドロイド（登録商標）オペレーションシステムを意味する。
【０２５４】
図１１Ａにおいては、ディスプレイ装置３１０がアンビエントサービスを実行中である場合を例として挙げて図示した。従って、ディスプレイ装置３１０は、ディスプレイ画面１１１０上に、アンビエントサービスに対応する画面である時計画面イメージを出力することができる。
【０２５５】
図１１Ａ及び図１１Ｃを参照すれば、アンドロイド（登録商標）オペレーションシステムを有するモバイル機器３６０は、所定時間間隔ごとに、ＢＬＥアドバタイズメント１１２０を送信する（Ｓ１１３１）。例えば、モバイル機器３６０は、１秒間隔でＢＬＥアドバタイズメント１１２０を送信することができる。
【０２５６】
それにより、ディスプレイ装置３１０は、所定時間間隔で、ＢＬＥ信号またはＢＬＥパケットが受信されるか否かということをスキャンまたはチェックすることができる（Ｓ１１３２）。例えば、ディスプレイ装置３１０は、１５分おきに、ＢＬＥ信号またはＢＬＥパケットが受信されるか否かということをスキャンまたはチェックすることができる。また、ディスプレイ装置３１０は、１５分おきに１分間、スキャンまたはチェック動作を遂行することができる。
【０２５７】
Ｓ１１３２の動作は、通信部３１３において、ＢＬＥ信号またはＢＬＥパケットの受信をチェックすることによっても 遂行される。
【０２５８】
続けて、ディスプレイ装置３１０は、受信されたＢＬＥパケットを利用し、ＢＬＥパケットを送信したモバイル機器３６０が、ディスプレイ装置３１０に登録された機器であるか否かということ判断し、判断結果により、アンビエントサービスの実行を維持させることができる（Ｓ１１３３）。ここで、該ＢＬＥパケットは、プレゼンスを含み、プレゼンス内に、ＢＬＥ識別情報、具体的には、モバイル機器３６０の任意アドレスを含んでもよい。ディスプレイ装置３１０は、ＢＬＥペアリング段階で獲得されたＩＲＫを利用し、受信された任意アドレス値を、本来のアドレスであるＢＬＥペアリング時に伝送されていたアドレスである「ＢＬＥアドレス」に変換することができる。そして、変換されたＢＬＥアドレスを利用し、モバイル機器３６０の登録いかんを判断することができる。
【０２５９】
また、ディスプレイ装置３１０は、アンビエントサービスが実行中である正常モードにあるので、Ｓ１１３３動作は、制御部３１１、具体的には、制御部３１１に含まれるプロセッサ（図示せず）においても遂行される。
【０２６０】
図１１Ｂ及び１１Ｄを参照すれば、ディスプレイ装置３１０は、スリープモードに入ってターンオフされた状態であり、ブラック画面１１５０を出力する。また、アンドロイド（登録商標）オペレーションシステムを有するモバイル機器３６０は、所定時間間隔ごとに、ＢＬＥアドバタイズメント１１２０を送信する（Ｓ１１８１）。
【０２６１】
スリープモードに入った後、通信部３１３は、所定時間間隔で、登録されたモバイル機器からＢＬＥ信号またはＢＬＥパケットが受信されるか否かということをスキャンまたはチェックすることができる（Ｓ１１８２）。例えば、通信部３１３は、３秒間隔で、ＢＬＥ信号またはＢＬＥパケットが受信されるか否かということをスキャンまたはチェックすることができる。
【０２６２】
スキャン結果、登録されたモバイル機器３６０からＢＬＥパケットが受信されれば、通信部３１３は、ディスプレイ装置３１０がウェークアップされるように動作することができる。それにより、ディスプレイ装置３１０は、ターンオンされる（Ｓ１１８３）。また、ディスプレイ装置３１０がウェークアップされて正常モードに入った後、制御部３１１は、アンビエントサービスが実行され、アンビエントサービスに対応する時計画面イメージ１１６０が出力されるように制御することができる。
【０２６３】
前述のように、送信端であるモバイル機器３６０のオペレーションシステムがアンドロイド（登録商標）オペレーションシステムである場合、常時ＢＬＥアドバタイズメントが可能である。そのような場合、モバイル機器３６０のバッテリ寿命を考慮し、１秒に１回ずつＢＬＥアドバタイズメントが行われるようにする。また、図１１Ａないし図１１Ｄに図示された実施形態において、受信端であるディスプレイ装置３１０は、必要な時点、例えば、１５分間隔を有する所定時間区間の間、ＢＬＥスキャンを行い、ディスプレイ装置３１０の近くに、登録されたモバイル機器が存在するか否かということを確認することができる。
【０２６４】
登録されたモバイル機器がディスプレイ装置３１０の近くに位置すれば、ユーザの存在が確認されたと判断し、画面を続けてオンにしておく。それにより、アンビエントサービスに対応するディスプレイ画面１１１０上のイメージが続けて出力される。ディスプレイ装置３１０は、次の周期（例えば、１５分）に、さらにＢＬＥスキャンを行い、画面オン維持を判断することになる。
【０２６５】
また、ディスプレイ装置３１０のスキャン動作（Ｓ１１３２）の遂行結果、ＢＬＥパケットは受信されたが、登録されていないモバイル機器のＢＬＥ識別情報を含む場合が発生しうる。その場合、ディスプレイ装置３１０でＢＬＥスキャンを行った結果、登録されたモバイル機器が検索されなければ、ディスプレイ装置３１０は、ポップアップメッセージを出力し、１分後、画面がオフになることを知らせ、ユーザに画面オフを取り消すことができる選択権を提供することができる。
【０２６６】
また、ディスプレイ装置３１０は、スキャン動作（Ｓ１１３２）の遂行結果、モバイル機器３６０が存在しないと判断されれば、ディスプレイ装置３１０の画面をオフにすることができる。このとき、ディスプレイ装置３１０の画面が所定時間内にオフになることを示す窓を開くことにより、ユーザにオフが予定されていることを知らせることができる。
【０２６７】
ディスプレイ装置３１０がオフになりながら、スリープモードに入る場合、既存にＢＬＥペアリングされているモバイル機器に係わる情報、例えば、ＢＬＥ識別情報、ＢＬＥ設定情報及びＢＴ設定情報などを、通信部３１３（具体的には、例えば、ブルートゥース（登録商標）モジュール５１１（図５）のＦＷ（firmware）、または通信部３１３の内部メモリ５１３に記録し、オフになった後、モバイル機器が近接しているか否かということを判断するために必要な設定を行うことができる。
【０２６８】
ディスプレイ装置３１０は、オフになっても、ＢＬＥパケットのスキャン動作を続けて遂行することができる。それは、既存のブルートゥース（登録商標）通信規格による遠隔制御装置とディスプレイ装置３１０との通信動作のために必要な仕様である。
【０２６９】
具体的には、ディスプレイ装置３１０がオフになった後、例えば、ブルートゥース（登録商標）モジュール５１１（図５）が動作される動作モードをＬＰＭ（low power mode）と呼ぶ。前述の「スリープモード」は、「ＬＰＭ」にも対応する。ディスプレイ装置３１０の通信部３１３は、ＬＰＭ状態において、周期的にモバイル機器を検索する「ＢＬＥスキャン」を行うことができる。例えば、ディスプレイ装置３１０の通信部３１３は、３秒ごとにＢＬＥスキャンを行い、モバイル近接を判断することになる。ＢＬＥスキャン時、既存のＢＬＥペアリングされたモバイル機器、すなわち、ディスプレイ装置３１０に登録されたモバイル機器が検索されれば、ディスプレイ装置３１０をターンオンさせるための手続きを行うことができる。ディスプレイ装置３１０がターンオンされる場合、直前のディスプレイ装置３１０の動作状態が実行されるようにする。例えば、直前の動作状態が、ＴＶコンテンツを出力する動作モードであるならば、ディスプレイ装置３１０は、直前に出力されたＴＶコンテンツを選択及び出力するモードで動作することができる。また、直前の動作状態がアンビエントサービスを実行する動作モードであるならば、ディスプレイ装置３１０は、アンビエントサービスを実行するモードで動作することができる。
【０２７０】
図１２Ａは、第２オペレーションシステムを有する携帯用機器で送受信されるＢＬＥ信号を示す図面である。ここで、第２オペレーションシステムは、第１オペレーションシステムと異なり、第１オペレーションシステムは、ｉＯＳを示すことができる。
【０２７１】
図１２Ｂ及び図１２Ｃは、第１オペレーションシステムを有する携帯用機器とペアリングされるディスプレイ装置で実行されるアンビエントサービスの動作について説明するための図面である。
【０２７２】
開示された実施形態において、制御部３１１は、登録されたモバイル機器のオペレーションシステムが第２タイプであるならば、所定時間間隔で、ＢＬＥ識別情報の伝送を要請する第１ ｉＢｅａｃｏｎ（登録商標）信号をモバイル機器に伝送し、第１ ｉＢｅａｃｏｎ（登録商標）信号によってトリガされ、ＢＬＥ識別情報を含む第２ｉＢｅａｃｏｎ（登録商標）信号の受信いかんをチェックするように通信部３１３を制御することができる。
【０２７３】
具体的には、ｉＯＳオペレーションシステムを有するモバイル機器３６０は、ディスプレイ装置３１０で送信されるｉＢｅａｃｏｎ（登録商標）を受信することによってトリガ（ｔｒｉｇｇｅｒ）になって、ＢＬＥ識別情報を含むｉＢｅａｃｏｎ（登録商標）をディスプレイ装置３１０に送信する。具体的には、ディスプレイ装置３１０は、登録されたモバイル機器がｉＯＳオペレーションシステムを有する場合、所定時間間隔でＢＬＥ識別情報を含むｉＢｅａｃｏｎ（登録商標）を送信することを要請するｉＢｅａｃｏｎ（登録商標）信号をモバイル機器３６０に送信することができる（Ｓ１２４１）。
【０２７４】
図１２Ａを参照すれば、ｉＯＳオペレーションシステムを有するモバイル機器と送受信するＢＬＥ信号は、ｉＢｅａｃｏｎ（登録商標）にもなる。ｉＢｅａｃｏｎ（登録商標） １２０１は、図１２Ａに図示されているように、３種フィールドであるＵＵＩＤ（universally unique identifier）１２０３、Major ＩＤ １２０４、Minor ＩＤ１２０５を含む。そして、ｉＢｅａｃｏｎ（登録商標） １２０１は、ｉＢｅａｃｏｎ（登録商標） Prefix １２０２及びＴｘ Power １２０６のフィールドをさらに含んでもよい。また、ｉＢｅａｃｏｎ（登録商標） Prefix １２０２は、Ａｄｖ Flags １２１１、Ａｄｖ Header １２１２、Company ＩＤ １２１３、ｉＢｅａｃｏｎ（登録商標） Type １２１４及びｉＢｅａｃｏｎ（登録商標） Length １２１５のフィールドを含んでもよい。
【０２７５】
ＵＵＩＤ（１６バイト）１２０３は、さまざまなｉＢｅａｃｏｎ（登録商標）のうち、モービルプレゼンスに活用されるサービスの区分子としての使用が可能である。Major ＩＤ（２バイト）１２０４とMinor ＩＤ（２バイト）１２０５は、受信端であるディスプレイ装置３１０の固有情報及びコマンドとしての使用が可能である。例えば、Major ＩＤ（２バイト）１２０４とMinor ＩＤ（１バイト）１２０５とを含む３バイトをディスプレイ装置３１０のＢＬＥ識別情報、例えば、ＢＬＥ ＭＡＣアドレスまたはランダムアドレスの伝達に使用し、残ったMinor ＩＤ（１バイト）は、サービス別にコマンドとしての使用が可能である。
【０２７６】
ｉＯＳオペレーションシステムを有するモバイル機器においては、設定されたｉＢｅａｃｏｎ（登録商標）により、ＢＬＥパケット送出が可能になるように具現することができる。具体的には、ｉＯＳオペレーションシステムを有するモバイル機器は、ディスプレイ装置からの、ＢＬＥパケット送信を要請するコマンドとしてｉＢｅａｃｏｎ（登録商標）を受信すれば、ｉＢｅａｃｏｎ（登録商標）（ＢＬＥアドバタイズメント）の送出が行われるように具現することができる。
【０２７７】
図１２Ｂにおいては、ディスプレイ装置３１０がアンビエントサービスを実行中である場合であり、ディスプレイ装置３１０が、アンビエントサービスに対応するとき、計画面イメージをディスプレイする場合を例として挙げて図示している。
【０２７８】
図１２Ｂを参照すれば、ディスプレイ装置３１０に登録されたモバイル機器がｉＯＳオペレーションシステムを有する場合、ディスプレイ装置３１０は、一定時間周期ごとに、ｉＢｅａｃｏｎ（登録商標）を送出することができる（Ｓ１２４１）。モバイル機器３６０は、ディスプレイ装置３１０から送出されるｉＢｅａｃｏｎ（登録商標）を受信すれば、それに応答し（Ｓ１２４２）、ＢＬＥ識別情報を含むｉＢｅａｃｏｎ（登録商標）をディスプレイ装置３１０に送信することができる（Ｓ１２４３）。
【０２７９】
ｉＯＳオペレーションシステムを有するモバイル機器の場合、常時のＢＬＥアドバタイズメントが不可能である。従って、受信端であるディスプレイ装置３１０でモバイル機器の近接を判断する時点（例えば、１５分ごと）において、ディスプレイ装置３１０からｉＢｅａｃｏｎ（登録商標）を送出し、モバイル機器において、ｉＢｅａｃｏｎ（登録商標）に応答するように要請することができる。
【０２８０】
ディスプレイ装置３１０のｉＢｅａｃｏｎ（登録商標）を受けたモバイル機器３６０は、ＢＬＥ識別情報を含むｉＢｅａｃｏｎ（登録商標）を送信する。具体的には、ｉＢｅａｃｏｎ（登録商標）を受信したモバイル機器３６０は、アンビエントサービスを提供するアプリケーションを実行し、該アプリケーションは、登録されたディスプレイ装置３１０にＢＬＥアドバタイズメントであるｉＢｅａｃｏｎ（登録商標）を伝送することができる（Ｓ１２４３）。
【０２８１】
それにより、ディスプレイ装置３１０は、登録されたモバイル機器が近接しているか否かということを判断することができる。登録されたモバイル機器が近接している場合の後続動作（例えば、アンビエントサービスの実行を維持する動作（Ｓ１２４４））は、図１１Ａで説明したところと同一である。
【０２８２】
図１２Ｂに図示されたモバイル機器認識方式は、ｉＯＳオペレーションシステムを有するモバイル機器以外にも、常時ＢＬＥアドバタイズメントが不可能なモバイル機器に適用が可能である。
【０２８３】
また、ｉＯＳオペレーションシステムを有するモバイル機器がディスプレイ装置３１０に登録された場合、ディスプレイ装置３１０は、ＢＬＥペアリングが完了した後、モバイル機器の情報と、ｉＢｅａｃｏｎ（登録商標）送受信が必要な情報とを設定及び保存することができる。
【０２８４】
具体的には、ディスプレイ装置３１０がターンオフされた場合、ｉＢｅａｃｏｎ（登録商標）が通信部３１３のブルートゥース（登録商標）モジュール５１１から、周期的（例：１５０ｍｓ）にｉＢｅａｃｏｎ（登録商標）を送信するように設定することができる。モバイル機器からｉＢｅａｃｏｎ（登録商標）を送信し、それにより、ディスプレイ装置３１０で登録されたモバイル機器が近接するか否かということによって遂行する動作は、図１１Ａないし図１１Ｄで説明したところと同一であるので、詳細説明は、省略する。
【０２８５】
また、ディスプレイ装置３１０がモバイル機器にｉＢｅａｃｏｎ（登録商標）を送信する周期は、多様にも決定される。例えば、ディスプレイ装置３１０は、モバイル機器に、１５０ｍｓ周期でｉＢｅａｃｏｎ（登録商標）を送信することができ、それにより、モバイル機器が応答を送れば、ディスプレイ装置３１０は、応答が着いたか否かということの確認を３秒ごとに進めることができる。
【０２８６】
図１２Ｃを参照すれば、ディスプレイ装置３１０は、スリープモードに入り、ターンオフされた状態であり、ブラック画面１２６０を出力する。
【０２８７】
スリープモードに入った後、通信部３１３は、ｉＯＳオペレーションシステムを有するモバイル機器３６０に、決定された時間周期ごとにｉＢｅａｃｏｎ（登録商標）を伝送し（Ｓ１２８１）、それを受信したモバイル機器３６０は、ｉＢｅａｃｏｎ（登録商標）をディスプレイ装置３１０の通信部３１３に伝送することができる（Ｓ１２８３）。ディスプレイ装置３１０の通信部３１３は、受信されたｉＢｅａｃｏｎ（登録商標）が、登録されたモバイル機器から送信されたものであるか否かということを判断し、登録されたモバイル機器が隣接して位置するか否かということを判断することができる。
【０２８８】
登録されたモバイル機器がディスプレイ装置３１０の近くに位置すると判断されれば、通信部３１３は、ディスプレイ装置３１０がウェークアップされるように動作することができる。それにより、ディスプレイ装置３１０は、ターンオンされる（Ｓ１２８４）。
【０２８９】
また、ディスプレイ装置３１０がウェークアップされて正常モードに入った後、制御部３１１は、アンビエントサービスが実行され、アンビエントサービスに対応する時計画面イメージ１１６０が出力されるように制御することができる。
【０２９０】
図１３は、開示された実施形態によるディスプレイ装置の制御方法を示すフローチャートである。開示された実施形態によるディスプレイ装置の制御方法（１３００）は、図１ないし図１２Ｃを参照して説明した開示された実施形態によるディスプレイ装置３１０で遂行される動作構成と同一である。従って、開示された実施形態によるディスプレイ装置の制御方法（１３００）についての説明にあたり、図１ないし図１２Ｃと重複する説明は、省略する。また、以下では、図４に図示されたディスプレイ装置３１０及びモバイル機器３６０を参照し、ディスプレイ装置の制御方法（１３００）について説明する。
【０２９１】
具体的には、開示された実施形態によるディスプレイ装置の制御方法（１３００）は、少なくとも１つのインストラクションを保存するメモリ３１５、ＢＬＥ通信ネットワークを含む少なくとも１つの無線ネットワークを介してモバイル機器と通信を行う通信部３１３、及び前記メモリに保存された前記少なくとも１つのインストラクションを遂行するプロセッサを少なくとも一つ含む制御部３１１を含むディスプレイ装置３１０の制御方法である。
【０２９２】
図１３を参照すれば、ディスプレイ装置の制御方法（１３００）は、アンビエントサービスが実行される正常モードの間、前記ＢＬＥ通信ネットワークを介して連結されるモバイル機器を識別する情報であるＢＬＥ識別情報が、前記モバイル機器から受信されれば、前記制御部３１１において、前記ＢＬＥ識別情報を管理する（Ｓ１３１０）。Ｓ１３１０動作は、ディスプレイ装置３１０の制御部３１１で遂行されうる。
【０２９３】
また、Ｓ１３１０動作は、図９の９０１ブロックに対応する動作であるので、詳細説明は、省略する。
【０２９４】
ディスプレイ装置の制御方法（１３００）は、スリープモードに入った後、前記ＢＬＥ識別情報が前記モバイル機器から受信されれば、前記通信部３１３において、前記受信されたＢＬＥ識別情報に対応する情報が存在するか否かということを判断した結果に基づき、前記制御部をウェークアップさせる（Ｓ１３２０）。Ｓ１３２０動作は、ディスプレイ装置３１０の通信部３１３で遂行されうる。
【０２９５】
また、Ｓ１３２０動作は、図９の９０２ブロックに対応する動作であるので、詳細説明は、省略する。
【０２９６】
開示された実施形態によるディスプレイ装置の制御方法（１３００）において、Ｓ１３１０段階及びＳ１３２０段階は、ディスプレイ装置３１０が正常モードであるか、あるいはスリープモードに入った後であるかということによって区別されるものであり、Ｓ１３１０段階及びＳ１３２０段階の順序は、互いに変わりうる。
【０２９７】
図１４は、開示された実施形態によるディスプレイ装置の制御方法をさらに詳細に示すフローチャートである。図１４に図示されたディスプレイ装置の制御方法（１４００）は、図１３に図示されたディスプレイ装置の制御方法（１３００）をさらに詳細に示す。図１４に図示されたディスプレイ装置の制御方法（１４００）において、図１３に図示されたディスプレイ装置の制御方法（１４００）と同一構成は、同一図面記号を利用して図示した。
【０２９８】
図１４を参照すれば、ディスプレイ装置の制御方法（１４００）は、ディスプレイ装置の制御方法（１３００）に比べ、Ｓ１４１０段階をさらに含んでもよい。
【０２９９】
具体的には、ディスプレイ装置の制御方法（１４００）は、ＢＬＥペアリングを行い、モバイル機器を登録する段階（Ｓ１４１０）をさらに含んでもよい。Ｓ１４１０段階の動作は、ディスプレイ装置３１０の制御部３１１で遂行されうる。また、ＢＬＥペアリング動作は、図８を参照して詳細に説明したので、詳細説明は、省略する。
【０３００】
本開示の一実施形態によるディスプレイ装置の制御方法は、多様なコンピュータ手段を介しても遂行されるプログラム命令形態に具現され、コンピュータ可読媒体にも記録される。また、開示された実施形態は、前述のディスプレイ装置の制御方法を実行する命令語を含む１以上のプログラムが記録されたコンピュータで読み取り可能な記録媒体にもなる。
【０３０１】
前記コンピュータ可読媒体は、プログラム命令、データファイル、データ構造などを単独または組み合わせて含んでもよい。前記媒体に記録されるプログラム命令は、本発明のために特別に設計されて構成されたものでもあり、コンピュータソフトウェア当業者に公知されて使用可能なものでもある。コンピュータ可読記録媒体の例には、ハードディスク、フロッピィーディスク及び磁気テープのような磁気媒体（magnetic media）；ＣＤ−ＲＯＭ（compact disc read only memory）、ＤＶＤ（digital versatile disc）のような光記録媒体（optical media）；フロプティカルディスク（floptical disk）のような磁気・光媒体（magneto-optical media）；ＲＯＭ、ＲＡＭ、フラッシュメモリのようなプログラム命令を保存して遂行するように特別に構成されたハードウェア装置が含まれる。プログラム命令の例には、コンパイラによって作われるような機械語コードだけではなく、インタープリタなどを使用し、コンピュータによって実行されうる高級言語コードを含む。
【０３０２】
また、前述の開示された実施形態によるディスプレイ装置の制御方法は、多重言語で構成された文章を獲得する動作、及び多重言語翻訳モデルを利用し、前記多重言語で構成された文章に含まれる単語それぞれに対応するベクトル値を獲得し、前記獲得したベクトル値を、目標言語に対応するベクトル値に変換し、前記変換されたベクトル値に基づき、前記目標言語で構成された文章を獲得する動作を遂行させるプログラムが保存された記録媒体を含むコンピュータプログラム製品によっても具現される。
【０３０３】
以上、本実施形態について詳細に説明したが、本発明の権利範囲は、それらに限定されるものではなく、特許請求の範囲で定義している本発明の基本概念を利用した当業者のさまざまな変形、及び改良形態も、本発明の権利範囲に属するのである。
【符号の説明】
【０３０４】
311  制御部
313  通信部
315  メモリ
317  ディスプレイ
361  制御部
363  通信部
365  メモリ
405  ＢＬＥネットワーク
511  ブルートゥース（登録商標）モジュール
512  無線ＬＡＮモジュール
513  内部メモリ
550  ユーザインターフェース
610  ビデオ処理部
615  ディスプレイ部
620  オーディオ処理部
625  オーディオ出力部
626  スピーカ
627  ヘッドフォン出力端子
628  Ｓ／ＰＤＩＦ出力端子
630  電源部
640  チューナ部
650  通信部
651  無線ＬＡＮ
652  ブルートゥース（登録商標）
653  有線イーサネット
660  感知部
661  マイク
662  カメラ部
663  光受信部
670  入出力部
671  ＨＤＭＩ（登録商標）ポート
672  コンポーネントジャック
673  ＰＣポート
674  ＵＳＢポート
680  制御部
690  メモリ
【図１】
2021515334.tif 000003
【図２ａ】
2021515334.tif 000004
【図２ｂ】
2021515334.tif 000005
【図３】
2021515334.tif 000006
【図４】
2021515334.tif 000007
【図５】
2021515334.tif 000008
【図６】
2021515334.tif 000009
【図７Ａ】
2021515334.tif 000010
【図７Ｂ】
2021515334.tif 000011
【図８】
2021515334.tif 000012
【図９】
2021515334.tif 000013
【図１０】
2021515334.tif 000014
【図１１Ａ】
2021515334.tif 000015
【図１１Ｂ】
2021515334.tif 000016
【図１１Ｃ】
2021515334.tif 000017
【図１１Ｄ】
2021515334.tif 000018
【図１２ａ】
2021515334.tif 000019
【図１２ｂ】
2021515334.tif 000020
【図１２ｃ】
2021515334.tif 000021
【図１３】
2021515334.tif 000022
【図１４】
2021515334.tif 000023
【国際調査報告】
2021515334.tif 000024
2021515334.tif 000025